(57)【要約】【課題】プリントヘッドの自己診断機能が正常に動作しないないおそれを低減できるプリントヘッド制御回路を提供すること。【解決手段】第１診断信号配線群は、第１診断信号を伝搬する第１診断信号伝搬配線と、第２診断信号を伝搬する第２診断信号伝搬配線と、第３診断信号を伝搬する第３診断信号伝搬配線とを含み、第２診断信号配線群は、第４診断信号を伝搬する第４診断信号伝搬配線と、第５診断信号を伝搬する第５診断信号伝搬配線とを含み、第１駆動信号配線群、第２駆動信号配線群、第３駆動信号配線群、及び第４駆動信号配線群は、液体を吐出させるための第１駆動信号及び第２駆動信号を伝搬し、第１ケーブルにおいて、第１診断信号配線群は、第１駆動信号配線群と第２駆動信号配線群との間に設けられ、第２ケーブルにおいて、第２診断信号配線群は、第３駆動信号配線群と第４駆動信号配線群との間に設けられている、プリントヘッド制御回路。【選択図】図１５
2020049931.tif 000002
【特許請求の範囲】
【請求項１】
第１接続点、第２接続点、第３接続点、第４接続点、及び第５接続点から入力される信号に応じて自己診断する機能を有するプリントヘッドの動作を制御するプリントヘッド制御回路であって、
第１駆動信号配線群、第２駆動信号配線群、及び第１診断信号配線群を備える第１ケーブルと、
第３駆動信号配線群、第４駆動信号配線群、及び第２診断信号配線群を備える第２ケーブルと、
第１診断信号、第２診断信号、第３診断信号、及び第４診断信号を出力する診断信号出力回路と、
前記プリントヘッドから液体を吐出させるための第１駆動信号、及び第２駆動信号を出力する駆動信号出力回路と、
を備え、
前記第１診断信号配線群は、前記第１接続点に入力される前記第１診断信号を伝搬する第１診断信号伝搬配線と、前記第２接続点に入力される前記第２診断信号を伝搬する第２診断信号伝搬配線と、前記第３接続点に入力される前記第３診断信号を伝搬する第３診断信号伝搬配線と、を含み、
前記第２診断信号配線群は、前記第４接続点に入力される前記第４診断信号を伝搬する第４診断信号伝搬配線と、前記第５接続点に入力される第５診断信号を伝搬する第５診断信号伝搬配線と、を含み、
前記第１駆動信号配線群は、前記第１駆動信号及び前記第２駆動信号の少なくとも一方を伝搬し、
前記第２駆動信号配線群は、前記第１駆動信号及び前記第２駆動信号の少なくとも一方を伝搬し、
前記第３駆動信号配線群は、前記第１駆動信号及び前記第２駆動信号の少なくとも一方を伝搬し、
前記第４駆動信号配線群は、前記第１駆動信号及び前記第２駆動信号の少なくとも一方を伝搬し、
前記第１ケーブルにおいて、前記第１診断信号配線群は、前記第１駆動信号配線群と前記第２駆動信号配線群との間に設けられ、
前記第２ケーブルにおいて、前記第２診断信号配線群は、前記第３駆動信号配線群と前記第４駆動信号配線群との間に設けられている、
ことを特徴とするプリントヘッド制御回路。
【請求項２】
前記第１駆動信号は、前記プリントヘッドから第１の量の液体を吐出させるための信号であり、
前記第２駆動信号は、前記プリントヘッドから前記第１の量とは異なる量の液体を吐出させるための信号であり、
前記第１駆動信号配線群は、前記第１駆動信号を伝搬する第１駆動信号伝搬配線を含み、
前記第２駆動信号配線群は、前記第２駆動信号を伝搬する第２駆動信号伝搬配線を含む、
ことを特徴とする請求項１に記載のプリントヘッド制御回路。
【請求項３】
前記第１診断信号伝搬配線は、吐出タイミングを規定する信号を伝搬する配線を兼ねる、
ことを特徴とする請求項１又は２に記載のプリントヘッド制御回路。
【請求項４】
前記第２診断信号伝搬配線は、前記第１駆動信号及び前記第２駆動信号の少なくとも一
方の波形切替タイミングを規定する信号を伝搬する配線を兼ねる、
ことを特徴とする請求項１乃至３のいずれか１項に記載のプリントヘッド制御回路。
【請求項５】
前記第３診断信号伝搬配線は、前記第１駆動信号及び前記第２駆動信号の波形選択を規定する信号を伝搬する配線を兼ねる、
ことを特徴とする請求項１乃至４のいずれか１項に記載のプリントヘッド制御回路。
【請求項６】
前記プリントヘッドは、黒色の液体が吐出されるノズルを含み、
前記第１駆動信号及び前記第２駆動信号は、前記ノズルから前記黒色の液体を吐出させるための信号である、
ことを特徴とする請求項５に記載のプリントヘッド制御回路。
【請求項７】
前記第４診断信号伝搬配線は、クロック信号を伝搬する配線を兼ねる、
ことを特徴とする請求項１乃至６のいずれか１項に記載のプリントヘッド制御回路。
【請求項８】
前記第５診断信号伝搬配線は、前記プリントヘッドの温度異常の有無を示す信号を伝搬する配線を兼ねる、
ことを特徴とする請求項１乃至７のいずれか１項に記載のプリントヘッド制御回路。
【請求項９】
前記第１診断信号配線群は、グラウンド電位の信号を伝搬する第１グラウンド信号伝搬配線及び第２グラウンド信号伝搬配線を含み、
前記第１グラウンド信号伝搬配線は、前記第１診断信号伝搬配線、前記第２診断信号伝搬配線、及び前記第３診断信号伝搬配線と、前記第１駆動信号配線群との間に設けられ、
前記第２グラウンド信号伝搬配線は、前記第１診断信号伝搬配線、前記第２診断信号伝搬配線、及び前記第３診断信号伝搬配線と、前記第２駆動信号配線群との間に設けられている、
ことを特徴とする請求項１乃至８のいずれか１項に記載のプリントヘッド制御回路。
【請求項１０】
前記第２診断信号配線群は、グラウンド電位の信号を伝搬する第３グラウンド信号伝搬配線及び第４グラウンド信号伝搬配線を含み、
前記第３グラウンド信号伝搬配線は、前記第４診断信号伝搬配線及び前記第５診断信号伝搬配線と、前記第３駆動信号配線群との間に設けられ、
前記第４グラウンド信号伝搬配線は、前記第４診断信号伝搬配線及び前記第５診断信号伝搬配線と、前記第４駆動信号配線群との間に設けられている、
ことを特徴とする請求項１乃至９のいずれか１項に記載のプリントヘッド制御回路。
【請求項１１】
前記第１診断信号配線群は、グラウンド電位の信号を伝搬する第５グラウンド信号伝搬配線及び第６グラウンド信号伝搬配線を含み、
前記第２診断信号伝搬配線は、前記第１診断信号伝搬配線と前記第３診断信号伝搬配線との間に設けられ、
前記第５グラウンド信号伝搬配線は、前記第１診断信号伝搬配線と前記第２診断信号伝搬配線との間に設けられ、
前記第６グラウンド信号伝搬配線は、前記第２診断信号伝搬配線と前記第３診断信号伝搬配線との間に設けられている、
ことを特徴とする請求項１乃至１０のいずれか１項に記載のプリントヘッド制御回路。
【請求項１２】
前記第２診断信号配線群は、グラウンド電位の信号を伝搬する第７グラウンド信号伝搬配線を含み、
前記第７グラウンド信号伝搬配線は、前記第４診断信号伝搬配線と前記第５診断信号伝搬配線との間に設けられている、
ことを特徴とする請求項１乃至１１のいずれか１項に記載のプリントヘッド制御回路。
【請求項１３】
第１接続点、第２接続点、第３接続点、第４接続点、及び第５接続点から入力される信号に応じて自己診断する機能を有するプリントヘッドと、
前記プリントヘッドの動作を制御するプリントヘッド制御回路と、
を備え、
前記プリントヘッド制御回路は、
第１駆動信号配線群、第２駆動信号配線群、及び第１診断信号配線群を備える第１ケーブルと、
第３駆動信号配線群、第４駆動信号配線群、及び第２診断信号配線群を備える第２ケーブルと、
第１診断信号、第２診断信号、第３診断信号、及び第４診断信号を出力する診断信号出力回路と、
前記プリントヘッドから液体を吐出させるための第１駆動信号、及び第２駆動信号を出力する駆動信号出力回路と、
を有し、
前記第１診断信号配線群は、前記第１接続点に入力される前記第１診断信号を伝搬する第１診断信号伝搬配線と、前記第２接続点に入力される前記第２診断信号を伝搬する第２診断信号伝搬配線と、前記第３接続点に入力される前記第３診断信号を伝搬する第３診断信号伝搬配線と、を含み、
前記第２診断信号配線群は、前記第４接続点に入力される前記第４診断信号を伝搬する第４診断信号伝搬配線と、前記第５接続点に入力される第５診断信号を伝搬する第５診断信号伝搬配線と、を含み、
前記第１駆動信号配線群は、前記第１駆動信号及び前記第２駆動信号の少なくとも一方を伝搬し、
前記第２駆動信号配線群は、前記第１駆動信号及び前記第２駆動信号の少なくとも一方を伝搬し、
前記第３駆動信号配線群は、前記第１駆動信号及び前記第２駆動信号の少なくとも一方を伝搬し、
前記第４駆動信号配線群は、前記第１駆動信号及び前記第２駆動信号の少なくとも一方を伝搬し、
前記第１ケーブルと前記プリントヘッドとが電気的に接触する第１接触群において、前記第１接続点と前記第１診断信号伝搬配線とが電気的に接触する第１接触部、前記第２接続点と前記第２診断信号伝搬配線とが電気的に接触する第２接触部、及び前記第３接続点と前記第３診断信号伝搬配線とが電気的に接触する第３接触部は、前記第１駆動信号配線群が前記プリントヘッドと電気的に接触する第１駆動信号接触群と、前記第２駆動信号配線群が前記プリントヘッドと電気的に接触する第２駆動信号接触群と、の間に位置し、
前記第２ケーブルと前記プリントヘッドとが電気的に接触する第２接触群において、前記第４接続点と前記第４診断信号伝搬配線とが電気的に接触する第４接触部、及び前記第５接続点と前記第５診断信号伝搬配線とが電気的に接触する第５接触部は、前記第３駆動信号配線群が前記プリントヘッドと電気的に接触する第３駆動信号接触群と、前記第４駆動信号配線群が前記プリントヘッドと電気的に接触する第４駆動信号接触群と、の間に位置している、
ことを特徴とする液体吐出装置。
【請求項１４】
前記第１駆動信号は、前記プリントヘッドから第１の量の液体を吐出させるための信号であり、
前記第２駆動信号は、前記プリントヘッドから前記第１の量とは異なる量の液体を吐出させるための信号であり、
前記第１駆動信号配線群は、前記第１駆動信号を伝搬する第１駆動信号伝搬配線を含み
、
前記第２駆動信号配線群は、前記第２駆動信号を伝搬する第２駆動信号伝搬配線を含む、
ことを特徴とする請求項１３に記載の液体吐出装置。
【請求項１５】
前記第１接触部は、吐出タイミングを規定する信号を伝搬する配線と電気的に接触する、
ことを特徴とする請求項１３又は１４に記載の液体吐出装置。
【請求項１６】
前記第２接触部は、前記第１駆動信号及び前記第２駆動信号の少なくとも一方の波形切替タイミングを規定する信号を伝搬する配線と電気的に接触する、
ことを特徴とする請求項１３乃至１５のいずれか１項に記載の液体吐出装置。
【請求項１７】
前記第３接触部は、前記第１駆動信号及び前記第２駆動信号の波形選択を規定する信号を伝搬する配線と電気的に接触する、
ことを特徴とする請求項１３乃至１６のいずれか１項に記載の液体吐出装置。
【請求項１８】
前記プリントヘッドは、黒色の液体が吐出されるノズルを含み、
前記第１駆動信号及び前記第２駆動信号は、前記ノズルから前記黒色の液体を吐出させるための信号である、
ことを特徴とする請求項１７に記載の液体吐出装置。
【請求項１９】
前記第４接触部は、クロック信号を伝搬する配線と電気的に接触する、
ことを特徴とする請求項１３乃至１８のいずれか１項に記載の液体吐出装置。
【請求項２０】
前記第５接触部は、前記プリントヘッドの温度異常の有無を示す信号を伝搬する配線と電気的に接触する、
ことを特徴とする請求項１３乃至１９のいずれか１項に記載の液体吐出装置。
【請求項２１】
前記第１診断信号配線群は、グラウンド電位の信号を伝搬する第１グラウンド信号伝搬配線及び第２グラウンド信号伝搬配線を含み、
前記第１接触群において、
前記第１グラウンド信号伝搬配線と前記プリントヘッドとが電気的に接触する第６接触部は、前記第１接触部、前記第２接触部、及び前記第３接触部と、前記第１駆動信号接触群との間に位置し、
前記第２グラウンド信号伝搬配線と前記プリントヘッドとが電気的に接触する第７接触部は、前記第１接触部、前記第２接触部、及び前記第３接触部と、前記第２駆動信号接触群との間に位置している、
ことを特徴とする請求項１３乃至２０のいずれか１項に記載の液体吐出装置。
【請求項２２】
前記第２診断信号配線群は、グラウンド電位の信号を伝搬する第３グラウンド信号伝搬配線及び第４グラウンド信号伝搬配線を含み、
前記第２接触群において、
前記第３グラウンド信号伝搬配線と前記プリントヘッドとが電気的に接触する第８接触部は、前記第４接触部及び前記第５接触部と、前記第３駆動信号接触群との間に位置し、
前記第４グラウンド信号伝搬配線と前記プリントヘッドとが電気的に接触する第９接触部は、前記第４接触部及び前記第５接触部と、前記第４駆動信号接触群との間に位置している、
ことを特徴とする請求項１３乃至２１のいずれか１項に記載の液体吐出装置。
【請求項２３】
前記第１診断信号配線群は、グラウンド電位の信号を伝搬する第５グラウンド信号伝搬配線及び第６グラウンド信号伝搬配線を含み、
前記第１接触群において、
前記第２接触部は、前記第１接触部と前記第３接触部との間に位置し、
前記第５グラウンド信号伝搬配線と前記プリントヘッドとが電気的に接触する第１０接触部は、前記第１接触部と前記第２接触部との間に位置し、
前記第６グラウンド信号伝搬配線と前記プリントヘッドとが電気的に接触する第１１接触部は、前記第２接触部と前記第３接触部との間に位置している、
ことを特徴とする請求項１３乃至２２のいずれか１項に記載の液体吐出装置。
【請求項２４】
前記第２診断信号配線群は、グラウンド電位の信号を伝搬する第７グラウンド信号伝搬配線を含み、
前記第２接触群において、
前記第７グラウンド信号伝搬配線と前記プリントヘッドとが電気的に接触する第１２接触部は、前記第４接触部と前記第５接触部との間に位置している、
ことを特徴とする請求項１３乃至２３のいずれか１項に記載の液体吐出装置。
【発明の詳細な説明】
【技術分野】
【０００１】
本発明は、プリントヘッド制御回路及び液体吐出装置に関する。
【背景技術】
【０００２】
インクジェットプリンター等の液体吐出装置は、プリントヘッドに設けられた圧電素子を駆動信号により駆動することで、キャビティーに充填されたインク等の液体をノズルから吐出し、記録媒体上に文字や画像を形成する。このような液体吐出装置において、プリントヘッドに不具合が生じた場合、ノズルから正常に液体を吐出できなくなる吐出異常が生じるおそれがある。このような吐出異常が生じた場合、ノズルから吐出されるインクの吐出精度が低下し、記録媒体上に形成される画像の品質が低下するおそれがある。
【０００３】
特許文献１には、プリントヘッドに入力される複数の信号に応じて、正常な印字品質を満たすドットの形成が可能か否かを、プリントヘッド自身で判別する自己診断機能を有するプリントヘッドが開示されている。
【０００４】
また、特許文献２には、複数の駆動信号をプリントヘッドに伝搬し、当該複数の駆動信号を選択的に圧電素子に供給することで、ノズルから異なる量の液体を吐出して多階調印刷を行う技術が開示されている。
【先行技術文献】
【特許文献】
【０００５】
【特許文献１】特開２０１７−１１４０２０号公報
【特許文献２】特開平０９−０１１４５７号公報
【発明の概要】
【発明が解決しようとする課題】
【０００６】
しかしながら、特許文献１に記載の技術では、プリントヘッドの自己診断に用いられる複数の信号線が、ケーブル及びコネクターにおいて分散して配置されている。このため、特許文献１に記載のプリントヘッドを、特許文献２に記載された複数の駆動信号により多階調表現を行うプリントヘッドに適用した場合、高電圧信号として伝搬される複数の駆動信号が、プリントヘッドの自己診断に用いられる複数の信号と干渉するおそれがあり、プリントヘッドの自己診断機能が正常に動作しないおそれがある。
【課題を解決するための手段】
【０００７】
本発明に係るプリントヘッド制御回路の一態様は、
第１接続点、第２接続点、第３接続点、第４接続点、及び第５接続点から入力される信号に応じて自己診断する機能を有するプリントヘッドの動作を制御するプリントヘッド制御回路であって、
第１駆動信号配線群、第２駆動信号配線群、及び第１診断信号配線群を備える第１ケーブルと、
第３駆動信号配線群、第４駆動信号配線群、及び第２診断信号配線群を備える第２ケーブルと、
第１診断信号、第２診断信号、第３診断信号、及び第４診断信号を出力する診断信号出力回路と、
前記プリントヘッドから液体を吐出させるための第１駆動信号、及び第２駆動信号を出力する駆動信号出力回路と、
を備え、
前記第１診断信号配線群は、前記第１接続点に入力される前記第１診断信号を伝搬する第１診断信号伝搬配線と、前記第２接続点に入力される前記第２診断信号を伝搬する第２診断信号伝搬配線と、前記第３接続点に入力される前記第３診断信号を伝搬する第３診断信号伝搬配線と、を含み、
前記第２診断信号配線群は、前記第４接続点に入力される前記第４診断信号を伝搬する第４診断信号伝搬配線と、前記第５接続点に入力される第５診断信号を伝搬する第５診断信号伝搬配線と、を含み、
前記第１駆動信号配線群は、前記第１駆動信号及び前記第２駆動信号の少なくとも一方を伝搬し、
前記第２駆動信号配線群は、前記第１駆動信号及び前記第２駆動信号の少なくとも一方を伝搬し、
前記第３駆動信号配線群は、前記第１駆動信号及び前記第２駆動信号の少なくとも一方を伝搬し、
前記第４駆動信号配線群は、前記第１駆動信号及び前記第２駆動信号の少なくとも一方を伝搬し、
前記第１ケーブルにおいて、前記第１診断信号配線群は、前記第１駆動信号配線群と前記第２駆動信号配線群との間に設けられ、
前記第２ケーブルにおいて、前記第２診断信号配線群は、前記第３駆動信号配線群と前記第４駆動信号配線群との間に設けられている。
【０００８】
前記プリントヘッド制御回路の一態様において、
前記第１駆動信号は、前記プリントヘッドから第１の量の液体を吐出させるための信号であり、
前記第２駆動信号は、前記プリントヘッドから前記第１の量とは異なる量の液体を吐出させるための信号であり、
前記第１駆動信号配線群は、前記第１駆動信号を伝搬する第１駆動信号伝搬配線を含み、
前記第２駆動信号配線群は、前記第２駆動信号を伝搬する第２駆動信号伝搬配線を含んでもよい。
【０００９】
前記プリントヘッド制御回路の一態様において、
前記第１診断信号伝搬配線は、吐出タイミングを規定する信号を伝搬する配線を兼ねてもよい。
【００１０】
前記プリントヘッド制御回路の一態様において、
前記第２診断信号伝搬配線は、前記第１駆動信号及び前記第２駆動信号の少なくとも一方の波形切替タイミングを規定する信号を伝搬する配線を兼ねてもよい。
【００１１】
前記プリントヘッド制御回路の一態様において、
前記第３診断信号伝搬配線は、前記第１駆動信号及び前記第２駆動信号の波形選択を規定する信号を伝搬する配線を兼ねてもよい。
【００１２】
前記プリントヘッド制御回路の一態様において、
前記プリントヘッドは、黒色の液体が吐出されるノズルを含み、
前記第１駆動信号及び前記第２駆動信号は、前記ノズルから前記黒色の液体を吐出させるための信号であってもよい。
【００１３】
前記プリントヘッド制御回路の一態様において、
前記第４診断信号伝搬配線は、クロック信号を伝搬する配線を兼ねてもよい。
【００１４】
前記プリントヘッド制御回路の一態様において、
前記第５診断信号伝搬配線は、前記プリントヘッドの温度異常の有無を示す信号を伝搬する配線を兼ねてもよい。
【００１５】
前記プリントヘッド制御回路の一態様において、
前記第１診断信号配線群は、グラウンド電位の信号を伝搬する第１グラウンド信号伝搬配線及び第２グラウンド信号伝搬配線を含み、
前記第１グラウンド信号伝搬配線は、前記第１診断信号伝搬配線、前記第２診断信号伝搬配線、及び前記第３診断信号伝搬配線と、前記第１駆動信号配線群との間に設けられ、
前記第２グラウンド信号伝搬配線は、前記第１診断信号伝搬配線、前記第２診断信号伝搬配線、及び前記第３診断信号伝搬配線と、前記第２駆動信号配線群との間に設けられていてもよい。
【００１６】
前記プリントヘッド制御回路の一態様において、
前記第２診断信号配線群は、グラウンド電位の信号を伝搬する第３グラウンド信号伝搬配線及び第４グラウンド信号伝搬配線を含み、
前記第３グラウンド信号伝搬配線は、前記第４診断信号伝搬配線及び前記第５診断信号伝搬配線と、前記第３駆動信号配線群との間に設けられ、
前記第４グラウンド信号伝搬配線は、前記第４診断信号伝搬配線及び前記第５診断信号伝搬配線と、前記第４駆動信号配線群との間に設けられていてもよい。
【００１７】
前記プリントヘッド制御回路の一態様において、
前記第１診断信号配線群は、グラウンド電位の信号を伝搬する第５グラウンド信号伝搬配線及び第６グラウンド信号伝搬配線を含み、
前記第２診断信号伝搬配線は、前記第１診断信号伝搬配線と前記第３診断信号伝搬配線との間に設けられ、
前記第５グラウンド信号伝搬配線は、前記第１診断信号伝搬配線と前記第２診断信号伝搬配線との間に設けられ、
前記第６グラウンド信号伝搬配線は、前記第２診断信号伝搬配線と前記第３診断信号伝搬配線との間に設けられていてもよい。
【００１８】
前記プリントヘッド制御回路の一態様において、
前記第２診断信号配線群は、グラウンド電位の信号を伝搬する第７グラウンド信号伝搬配線を含み、
前記第７グラウンド信号伝搬配線は、前記第４診断信号伝搬配線と前記第５診断信号伝搬配線との間に設けられていてもよい。
【００１９】
本発明に係る液体吐出装置の一態様は、
第１接続点、第２接続点、第３接続点、第４接続点、及び第５接続点から入力される信号に応じて自己診断する機能を有するプリントヘッドと、
前記プリントヘッドの動作を制御するプリントヘッド制御回路と、
を備え、
前記プリントヘッド制御回路は、
第１駆動信号配線群、第２駆動信号配線群、及び第１診断信号配線群を備える第１ケーブルと、
第３駆動信号配線群、第４駆動信号配線群、及び第２診断信号配線群を備える第２ケーブルと、
第１診断信号、第２診断信号、第３診断信号、及び第４診断信号を出力する診断信号出力回路と、
前記プリントヘッドから液体を吐出させるための第１駆動信号、及び第２駆動信号を出
力する駆動信号出力回路と、
を有し、
前記第１診断信号配線群は、前記第１接続点に入力される前記第１診断信号を伝搬する第１診断信号伝搬配線と、前記第２接続点に入力される前記第２診断信号を伝搬する第２診断信号伝搬配線と、前記第３接続点に入力される前記第３診断信号を伝搬する第３診断信号伝搬配線と、を含み、
前記第２診断信号配線群は、前記第４接続点に入力される前記第４診断信号を伝搬する第４診断信号伝搬配線と、前記第５接続点に入力される第５診断信号を伝搬する第５診断信号伝搬配線と、を含み、
前記第１駆動信号配線群は、前記第１駆動信号及び前記第２駆動信号の少なくとも一方を伝搬し、
前記第２駆動信号配線群は、前記第１駆動信号及び前記第２駆動信号の少なくとも一方を伝搬し、
前記第３駆動信号配線群は、前記第１駆動信号及び前記第２駆動信号の少なくとも一方を伝搬し、
前記第４駆動信号配線群は、前記第１駆動信号及び前記第２駆動信号の少なくとも一方を伝搬し、
前記第１ケーブルと前記プリントヘッドとが電気的に接触する第１接触群において、前記第１接続点と前記第１診断信号伝搬配線とが電気的に接触する第１接触部、前記第２接続点と前記第２診断信号伝搬配線とが電気的に接触する第２接触部、及び前記第３接続点と前記第３診断信号伝搬配線とが電気的に接触する第３接触部は、前記第１駆動信号配線群が前記プリントヘッドと電気的に接触する第１駆動信号接触群と、前記第２駆動信号配線群が前記プリントヘッドと電気的に接触する第２駆動信号接触群と、の間に位置し、
前記第２ケーブルと前記プリントヘッドとが電気的に接触する第２接触群において、前記第４接続点と前記第４診断信号伝搬配線とが電気的に接触する第４接触部、及び前記第５接続点と前記第５診断信号伝搬配線とが電気的に接触する第５接触部は、前記第３駆動信号配線群が前記プリントヘッドと電気的に接触する第３駆動信号接触群と、前記第４駆動信号配線群が前記プリントヘッドと電気的に接触する第４駆動信号接触群と、の間に位置している。
【００２０】
前記液体吐出装置の一態様において、
前記第１駆動信号は、前記プリントヘッドから第１の量の液体を吐出させるための信号であり、
前記第２駆動信号は、前記プリントヘッドから前記第１の量とは異なる量の液体を吐出させるための信号であり、
前記第１駆動信号配線群は、前記第１駆動信号を伝搬する第１駆動信号伝搬配線を含み、
前記第２駆動信号配線群は、前記第２駆動信号を伝搬する第２駆動信号伝搬配線を含んでもよい。
【００２１】
前記液体吐出装置の一態様において、
前記第１接触部は、吐出タイミングを規定する信号を伝搬する配線と電気的に接触してもよい。
【００２２】
前記液体吐出装置の一態様において、
前記第２接触部は、前記第１駆動信号及び前記第２駆動信号の少なくとも一方の波形切替タイミングを規定する信号を伝搬する配線と電気的に接触してもよい。
【００２３】
前記液体吐出装置の一態様において、
前記第３接触部は、前記第１駆動信号及び前記第２駆動信号の波形選択を規定する信号
を伝搬する配線と電気的に接触してもよい。
【００２４】
前記液体吐出装置の一態様において、
前記プリントヘッドは、黒色の液体が吐出されるノズルを含み、
前記第１駆動信号及び前記第２駆動信号は、前記ノズルから前記黒色の液体を吐出させるための信号であってもよい。
【００２５】
前記液体吐出装置の一態様において、
前記第４接触部は、クロック信号を伝搬する配線と電気的に接触してもよい。
【００２６】
前記液体吐出装置の一態様において、
前記第５接触部は、前記プリントヘッドの温度異常の有無を示す信号を伝搬する配線と電気的に接触してもよい。
【００２７】
前記液体吐出装置の一態様において、
前記第１診断信号配線群は、グラウンド電位の信号を伝搬する第１グラウンド信号伝搬配線及び第２グラウンド信号伝搬配線を含み、
前記第１接触群において、
前記第１グラウンド信号伝搬配線と前記プリントヘッドとが電気的に接触する第６接触部は、前記第１接触部、前記第２接触部、及び前記第３接触部と、前記第１駆動信号接触群との間に位置し、
前記第２グラウンド信号伝搬配線と前記プリントヘッドとが電気的に接触する第７接触部は、前記第１接触部、前記第２接触部、及び前記第３接触部と、前記第２駆動信号接触群との間に位置していてもよい。
【００２８】
前記液体吐出装置の一態様において、
前記第２診断信号配線群は、グラウンド電位の信号を伝搬する第３グラウンド信号伝搬配線及び第４グラウンド信号伝搬配線を含み、
前記第２接触群において、
前記第３グラウンド信号伝搬配線と前記プリントヘッドとが電気的に接触する第８接触部は、前記第４接触部及び前記第５接触部と、前記第３駆動信号接触群との間に位置し、
前記第４グラウンド信号伝搬配線と前記プリントヘッドとが電気的に接触する第９接触部は、前記第４接触部及び前記第５接触部と、前記第４駆動信号接触群との間に位置していてもよい。
【００２９】
前記液体吐出装置の一態様において、
前記第１診断信号配線群は、グラウンド電位の信号を伝搬する第５グラウンド信号伝搬配線及び第６グラウンド信号伝搬配線を含み、
前記第１接触群において、
前記第２接触部は、前記第１接触部と前記第３接触部との間に位置し、
前記第５グラウンド信号伝搬配線と前記プリントヘッドとが電気的に接触する第１０接触部は、前記第１接触部と前記第２接触部との間に位置し、
前記第６グラウンド信号伝搬配線と前記プリントヘッドとが電気的に接触する第１１接触部は、前記第２接触部と前記第３接触部との間に位置していてもよい。
【００３０】
前記液体吐出装置の一態様において、
前記第２診断信号配線群は、グラウンド電位の信号を伝搬する第７グラウンド信号伝搬配線を含み、
前記第２接触群において、
前記第７グラウンド信号伝搬配線と前記プリントヘッドとが電気的に接触する第１２接
触部は、前記第４接触部と前記第５接触部との間に位置していてもよい。
【図面の簡単な説明】
【００３１】
【図１】液体吐出装置の概略構成を示す図である。
【図２】液体吐出装置の電気的な構成を示すブロック図である。
【図３】駆動信号ＣＯＭＡ，ＣＯＭＢの一例を示す図である。
【図４】駆動信号ＶＯＵＴの一例を示す図である。
【図５】駆動信号選択回路の構成を示す図である。
【図６】デコーダーにおけるデコード内容を示す図である。
【図７】吐出部の１個分に対応する選択回路の構成を示す図である。
【図８】駆動信号選択回路の動作を説明するための図である。
【図９】温度異常検出回路の構成を示す図である。
【図１０】プリントヘッドの構成を示す斜視図である。
【図１１】ヘッドのインク吐出面を示す平面図である。
【図１２】吐出部の概略構成を示す図である。
【図１３】第１コネクターの構成を示す図である。
【図１４】第２コネクターの構成を示す図である。
【図１５】液体吐出装置をＹ方向から見た場合における内部構成を概略的に示す図である。
【図１６】ケーブルの構成を示す図である。
【図１７】ケーブルが第１コネクターに取り付けられた場合における接触部について説明するための図である。
【図１８】第１ケーブルで伝搬される信号の詳細を説明するための図である。
【図１９】第２ケーブルで伝搬される信号の詳細を説明するための図である。
【発明を実施するための形態】
【００３２】
以下、本発明の好適な実施形態について図面を用いて説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００３３】
以下では、本発明に係るプリントヘッド制御回路について、液体吐出装置に適用される自己診断機能を有するプリントヘッドを動作させるプリントヘッド制御回路を例に挙げて説明する。
【００３４】
１．液体吐出装置の概要
図１は、本実施形態のプリントヘッド制御回路が適用される液体吐出装置１の概略構成を示す図である。本実施形態に係る液体吐出装置１は、液体の一例としてのインクを吐出するプリントヘッド２１が搭載されたキャリッジ２０が往復動し、搬送される媒体Ｐに対してインクを吐出するシリアル印刷方式のインクジェットプリンターである。以下の説明では、キャリッジ２０が移動する方向をＸ方向、媒体Ｐが搬送される方向をＹ方向、インクが吐出される方向をＺ方向として説明する。なお、以下の説明では、Ｘ方向、Ｙ方向及びＺ方向は互いに直交する方向として説明を行う。また、媒体Ｐとしては、印刷用紙、樹脂フィルム、布帛等の任意の印刷対象を用いられてもよい。
【００３５】
液体吐出装置１は、液体容器２、制御機構１０、キャリッジ２０、移動機構３０及び搬送機構４０を備える。
【００３６】
液体容器２には、媒体Ｐに吐出される複数種類のインクが貯留されている。具体的には、ブラック、シアン、マゼンタ、イエロー、レッド、グレーの６種類のインクが液体容器
２に貯留されている。なお、上述の液体容器２に貯留されるインクの数及び種類は一例であり、液体容器２に貯留されるインクは、５種類以下であってもよく、７種類以上であってもよい。さらに、液体容器２には、ライトシアン、ライトマゼンタ、グリーン等の色彩のインクが貯留されていても良い。このようなインクが貯留される液体容器２としては、インクカートリッジや、可撓性のフィルムで形成された袋状のインクパック、インクの補充が可能なインクタンク等が用いられる。
【００３７】
制御機構１０は、例えばＣＰＵ（Central Processing Unit）やＦＰＧＡ（Field Programmable Gate Array）等の処理回路と半導体メモリ等の記憶回路とを含み、液体吐出装置１の各要素を制御する。
【００３８】
キャリッジ２０には、プリントヘッド２１が搭載されている。また、キャリッジ２０は、プリントヘッド２１を搭載した状態で、移動機構３０に含まれる無端ベルト３２に固定されている。なお、液体容器２も、キャリッジ２０に搭載されていてもよい。
【００３９】
プリントヘッド２１には、制御機構１０から、プリントヘッド２１を制御するための複数の信号を含む制御信号Ｃｔｒｌ−Ｈ及びプリントヘッド２１を駆動するための複数の駆動信号ＣＯＭが入力される。そして、プリントヘッド２１は、制御信号Ｃｔｒｌ−Ｈ及び複数の駆動信号ＣＯＭに基づいて、液体容器２から供給されるインクをＺ方向に吐出する。
【００４０】
移動機構３０は、キャリッジモーター３１及び無端ベルト３２を含む。キャリッジモーター３１は、制御機構１０から入力される制御信号Ｃｔｒｌ−Ｃに基づいて動作する。そして、キャリッジモーター３１の動作に従って無端ベルト３２が回転する。これにより、無端ベルト３２に固定されたキャリッジ２０がＸ方向に往復動する。
【００４１】
搬送機構４０は、搬送モーター４１及び搬送ローラー４２を含む。搬送モーター４１は、制御機構１０から入力される制御信号Ｃｔｒｌ−Ｔに基づいて動作する。そして、搬送モーター４１の動作に従って搬送ローラー４２が回転する。この搬送ローラー４２の回転に伴って媒体ＰがＹ方向に搬送される。
【００４２】
以上のように液体吐出装置１は、搬送機構４０による媒体Ｐの搬送と移動機構３０によるキャリッジ２０の往復動とに連動して、キャリッジ２０に搭載されたプリントヘッド２１からインクを吐出することで、媒体Ｐの表面の任意の位置にインクを着弾させ、媒体Ｐに所望の画像を形成する。
【００４３】
２．液体吐出装置の電気的構成
図２は、液体吐出装置１の電気的な構成を示すブロック図である。液体吐出装置１は、制御機構１０、プリントヘッド２１、キャリッジモーター３１、搬送モーター４１及びリニアエンコーダー９０を備える。図２に示すように、制御機構１０は、駆動信号出力回路５０、制御回路１００及び電源回路１１０を含む。
【００４４】
制御回路１００は、例えば、マイクロコントローラー等のプロセッサーを含む。そして、制御回路１００は、ホストコンピューターから供給される画像データ等の各種信号に基づいて、液体吐出装置１を制御するデータや信号を生成する。
【００４５】
具体的には、制御回路１００は、リニアエンコーダー９０から入力される検出信号に基づいて、プリントヘッド２１の走査位置を把握する。そして、制御回路１００は、プリントヘッド２１の走査位置に応じた制御信号Ｃｔｒｌ−Ｃを、キャリッジモーター３１に出力する。これにより、プリントヘッド２１の往復動が制御される。また、制御回路１００
は、搬送モーター４１に対して制御信号Ｃｔｒｌ−Ｔを出力する。これにより、媒体Ｐの搬送が制御される。なお、制御信号Ｃｔｒｌ−Ｃは、不図示のキャリッジモータードライバーを介して信号変換されたのち、キャリッジモーター３１に供給されてもよい。同様に、制御信号Ｃｔｒｌ−Ｔは、不図示の搬送モータードライバーを介して信号変換されたのち、搬送モーター４１に供給されてもよい。
【００４６】
また、制御回路１００は、ホストコンピューターからの供給される画像データ等の各種信号に基づいて、プリントヘッド２１を制御するための制御信号Ｃｔｒｌ−Ｈとして、６つの印刷データ信号ＳＩ１〜ＳＩ６、２つのチェンジ信号ＣＨ１，ＣＨ２、ラッチ信号ＬＡＴ、クロック信号ＳＣＫ及びエヌチャージ信号ＮＣＨＧをプリントヘッド２１に出力する。
【００４７】
また、制御回路１００は、駆動信号出力回路５０にデジタル信号である駆動制御信号ｄＡ，ｄＢを出力する。
【００４８】
駆動信号出力回路５０は、駆動回路５０ａ及び駆動回路５０ｂを含む。そして、駆動信号出力回路５０は、複数の駆動信号ＣＯＭとして、駆動信号ＣＯＭＡ，ＣＯＭＢを生成し出力する。また、駆動信号出力回路５０は、駆動信号ＣＯＭＡ，ＣＯＭＢの基準電位を示す例えばグラウンド電位（０Ｖ）の基準電圧信号ＣＧＮＤを生成し出力する。なお、基準電圧信号ＣＧＮＤは、グラウンド電位の電圧信号に限られるものではなく、例えばＤＣ６Ｖの電圧信号であってもよい。
【００４９】
具体的には、駆動回路５０ａには駆動制御信号ｄＡが入力される。そして、駆動回路５０ａは、駆動制御信号ｄＡをデジタル／アナログ変換したのち、変換されたアナログ信号をＤ級増幅して駆動信号ＣＯＭＡを生成する。また、駆動回路５０ｂには駆動制御信号ｄＢが入力される。そして、駆動回路５０ｂは、駆動制御信号ｄＢをデジタル／アナログ変換したのち、変換されたアナログ信号をＤ級増幅して駆動信号ＣＯＭＢを生成する。すなわち、駆動制御信号ｄＡ，ｄＢは、駆動信号ＣＯＭＡ，ＣＯＭＢの波形を規定するデジタルのデータ信号であって、駆動回路５０ａ，５０ｂは、駆動制御信号ｄＡ，ｄＢで規定された波形をＤ級増幅することで駆動信号ＣＯＭＡ，ＣＯＭＢを生成する。そして、生成された駆動信号ＣＯＭＡ，ＣＯＭＢが駆動信号出力回路５０から出力される。なお、駆動制御信号ｄＡ，ｄＢは、駆動信号ＣＯＭＡ，ＣＯＭＢの波形を規定するアナログ信号であってもよく、また、駆動回路５０ａ，５０ｂは、駆動制御信号ｄＡ，ｄＢで規定される波形を、Ａ級増幅、Ｂ級増幅又はＡＢ級増幅等によって増幅してもよい。
【００５０】
駆動信号ＣＯＭＡは、制御機構１０において駆動信号ＣＯＭＡ１〜ＣＯＭＡ６に分岐されたのち、プリントヘッド２１に出力される。また、駆動信号ＣＯＭＢは、制御機構１０において駆動信号ＣＯＭＢ１〜ＣＯＭＢ６に分岐されたのち、プリントヘッド２１に出力される。また、基準電圧信号ＣＧＮＤは、制御機構１０において基準電圧信号ＣＧＮＤ１〜ＣＧＮＤ６に分岐されたのち、プリントヘッド２１に出力される。この駆動信号ＣＯＭＡ１〜ＣＯＭＡ６を含む駆動信号ＣＯＭＡ、又は駆動信号ＣＯＭＢ１〜ＣＯＭＢ６を含む駆動信号ＣＯＭＢの一方が第１駆動信号の一例であり、駆動信号ＣＯＭＡ１〜ＣＯＭＡ６を含む駆動信号ＣＯＭＡ、又は駆動信号ＣＯＭＢ１〜ＣＯＭＢ６を含む駆動信号ＣＯＭＢの異なる一方が第２駆動信号の一例である。
【００５１】
電源回路１１０は、高電圧信号ＶＨＶ、低電圧信号ＶＤＤ１，ＶＤＤ２、及びグラウンド信号ＧＮＤを生成して出力する。高電圧信号ＶＨＶは、例えばＤＣ４２Ｖの電圧信号である。また、低電圧信号ＶＤＤ１，ＶＤＤ２は、例えば３．３Ｖの電圧信号である。また、グラウンド信号ＧＮＤは、高電圧信号ＶＨＶ、低電圧信号ＶＤＤ１，ＶＤＤ２の基準電位を示す電圧信号であって、例えばグラウンド電位（０Ｖ）の電圧信号である。そして、
高電圧信号ＶＨＶ、低電圧信号ＶＤＤ１，ＶＤＤ２、及びグラウンド信号ＧＮＤのそれぞれは、制御機構１０における各種構成の電源電圧として用いられるとともにプリントヘッド２１に出力される。なお、電源回路１１０は、高電圧信号ＶＨＶ、低電圧信号ＶＤＤ１，ＶＤＤ２、及びグラウンド信号ＧＮＤ以外の各種電圧信号を生成しても良い。
【００５２】
プリントヘッド２１は、６つの駆動信号選択回路２００ａ〜２００ｆ、複数の吐出部６００、温度検出回路２１０、及び温度異常検出回路２５０を含む。
【００５３】
駆動信号選択回路２００ａ〜２００ｆのそれぞれは、入力される印刷データ信号ＳＩ１〜ＳＩ６、クロック信号ＳＣＫ、ラッチ信号ＬＡＴ及びチェンジ信号ＣＨ１，ＣＨ２に基づいて、駆動信号ＣＯＭＡ１〜ＣＯＭＡ６のそれぞれと、駆動信号ＣＯＭＢ１〜ＣＯＭＢ６のそれぞれとを選択又は非選択とすることで、駆動信号ＶＯＵＴ１〜ＶＯＵＴ６を生成し、対応する吐出部６００に含まれる圧電素子６０に供給する。圧電素子６０は、駆動信号ＶＯＵＴが供給されることで変位する。そして、当該変位に応じた量のインクが吐出部６００から吐出される。
【００５４】
駆動信号選択回路２００ａには、駆動信号ＣＯＭＡ１，ＣＯＭＢ１、印刷データ信号ＳＩ１、ラッチ信号ＬＡＴ、チェンジ信号ＣＨ１，ＣＨ２、及びクロック信号ＳＣＫが入力される。そして、駆動信号選択回路２００ａは、印刷データ信号ＳＩ１、ラッチ信号ＬＡＴ、チェンジ信号ＣＨ１，ＣＨ２、及びクロック信号ＳＣＫに基づいて駆動信号ＣＯＭＡ１，ＣＯＭＢ１を選択又は非選択することで、駆動信号ＶＯＵＴ１を出力する。駆動信号ＶＯＵＴ１は、対応して設けられる吐出部６００の圧電素子６０の一端に供給される。また、当該圧電素子６０の他端には、基準電圧信号ＣＧＮＤ１が供給される。そして、圧電素子６０は、駆動信号ＶＯＵＴ１と基準電圧信号ＣＧＮＤ１との電位差により変位する。
【００５５】
同様に、駆動信号選択回路２００ｂには、駆動信号ＣＯＭＡ２，ＣＯＭＢ２、印刷データ信号ＳＩ２、ラッチ信号ＬＡＴ、チェンジ信号ＣＨ１，ＣＨ２、及びクロック信号ＳＣＫが入力される。そして、駆動信号選択回路２００ｂは、印刷データ信号ＳＩ２、ラッチ信号ＬＡＴ、チェンジ信号ＣＨ１，ＣＨ２、及びクロック信号ＳＣＫに基づいて駆動信号ＣＯＭＡ２，ＣＯＭＢ２を選択又は非選択することで、駆動信号ＶＯＵＴ２を出力する。駆動信号ＶＯＵＴ２は、対応して設けられる吐出部６００の圧電素子６０の一端に供給される。また、当該圧電素子６０の他端には、基準電圧信号ＣＧＮＤ２が供給される。そして、圧電素子６０は、駆動信号ＶＯＵＴ２と基準電圧信号ＣＧＮＤ２との電位差により変位する。
【００５６】
同様に、駆動信号選択回路２００ｃには、駆動信号ＣＯＭＡ３，ＣＯＭＢ３、印刷データ信号ＳＩ３、ラッチ信号ＬＡＴ、チェンジ信号ＣＨ１，ＣＨ２、及びクロック信号ＳＣＫが入力される。そして、駆動信号選択回路２００ｃは、印刷データ信号ＳＩ３、ラッチ信号ＬＡＴ、チェンジ信号ＣＨ１，ＣＨ２、及びクロック信号ＳＣＫに基づいて駆動信号ＣＯＭＡ３，ＣＯＭＢ３を選択又は非選択することで、駆動信号ＶＯＵＴ３を出力する。駆動信号ＶＯＵＴ３は、対応して設けられる吐出部６００の圧電素子６０の一端に供給される。また、当該圧電素子６０の他端には、基準電圧信号ＣＧＮＤ３が供給される。そして、圧電素子６０は、駆動信号ＶＯＵＴ３と基準電圧信号ＣＧＮＤ３との電位差により変位する。
【００５７】
同様に、駆動信号選択回路２００ｄには、駆動信号ＣＯＭＡ４，ＣＯＭＢ４、印刷データ信号ＳＩ４、ラッチ信号ＬＡＴ、チェンジ信号ＣＨ１，ＣＨ２、及びクロック信号ＳＣＫが入力される。そして、駆動信号選択回路２００ｄは、印刷データ信号ＳＩ４、ラッチ信号ＬＡＴ、チェンジ信号ＣＨ１，ＣＨ２、及びクロック信号ＳＣＫに基づいて駆動信号ＣＯＭＡ４，ＣＯＭＢ４を選択又は非選択することで、駆動信号ＶＯＵＴ４を出力する。
駆動信号ＶＯＵＴ４は、対応して設けられる吐出部６００の圧電素子６０の一端に供給される。また、当該圧電素子６０の他端には、基準電圧信号ＣＧＮＤ４が供給される。そして、圧電素子６０は、駆動信号ＶＯＵＴ４と基準電圧信号ＣＧＮＤ４との電位差により変位する。
【００５８】
同様に、駆動信号選択回路２００ｅには、駆動信号ＣＯＭＡ５，ＣＯＭＢ５、印刷データ信号ＳＩ５、ラッチ信号ＬＡＴ、チェンジ信号ＣＨ１，ＣＨ２、及びクロック信号ＳＣＫが入力される。そして、駆動信号選択回路２００ｅは、印刷データ信号ＳＩ５、ラッチ信号ＬＡＴ、チェンジ信号ＣＨ１，ＣＨ２、及びクロック信号ＳＣＫに基づいて駆動信号ＣＯＭＡ５，ＣＯＭＢ５を選択又は非選択することで、駆動信号ＶＯＵＴ５を出力する。駆動信号ＶＯＵＴ５は、対応して設けられる吐出部６００の圧電素子６０の一端に供給される。また、当該圧電素子６０の他端には、基準電圧信号ＣＧＮＤ５が供給される。そして、圧電素子６０は、駆動信号ＶＯＵＴ５と基準電圧信号ＣＧＮＤ５との電位差により変位する。
【００５９】
同様に、駆動信号選択回路２００ｆには、駆動信号ＣＯＭＡ６，ＣＯＭＢ６、印刷データ信号ＳＩ６、ラッチ信号ＬＡＴ、チェンジ信号ＣＨ１，ＣＨ２、及びクロック信号ＳＣＫが入力される。そして、駆動信号選択回路２００ｆは、印刷データ信号ＳＩ６、ラッチ信号ＬＡＴ、チェンジ信号ＣＨ１，ＣＨ２、及びクロック信号ＳＣＫに基づいて駆動信号ＣＯＭＡ６，ＣＯＭＢ６を選択又は非選択することで、駆動信号ＶＯＵＴ６を出力する。駆動信号ＶＯＵＴ６は、対応して設けられる吐出部６００の圧電素子６０の一端に供給される。また、当該圧電素子６０の他端には、基準電圧信号ＣＧＮＤ６が供給される。そして、圧電素子６０は、駆動信号ＶＯＵＴ６と基準電圧信号ＣＧＮＤ６との電位差により変位する。
【００６０】
ここで、駆動信号選択回路２００ａ〜２００ｆは同様の回路構成を有する。そのため、以下の説明において、駆動信号選択回路２００ａ〜２００ｆを特に区別する必要がない場合、駆動信号選択回路２００と称する場合がある。この場合において、駆動信号選択回路２００に入力される駆動信号ＣＯＭＡ１〜ＣＯＭＡ６，ＣＯＭＢ１〜ＣＯＭＢ６を駆動信号ＣＯＭＡ，ＣＯＭＢと称し、印刷データ信号ＳＩ１〜ＳＩ６を印刷データ信号ＳＩと称する。また、駆動信号選択回路２００が出力する駆動信号ＶＯＵＴ１〜ＶＯＵＴ６を駆動信号ＶＯＵＴと称する。
【００６１】
温度検出回路２１０は、不図示のサーミスター等の温度センサーを含む。当該温度センサーは、プリントヘッド２１の温度を検出する。そして、温度検出回路２１０は、プリントヘッド２１の温度情報を含むアナログ信号である温度信号ＴＨを生成し、制御回路１００に出力する。
【００６２】
温度異常検出回路２５０は、プリントヘッド２１及び駆動信号選択回路２００に温度異常が生じているか否かを示すデジタル信号の異常信号ＸＨＯＴを生成し制御回路１００に出力する。具体的には、温度異常検出回路２５０は、プリントヘッド２１及び駆動信号選択回路２００に温度異常が生じていない判断している場合、Ｈレベルの異常信号ＸＨＯＴを出力し、プリントヘッド２１又は駆動信号選択回路２００に温度異常が生じていると判断した場合、Ｌレベルの異常信号ＸＨＯＴを出力する。なお、異常信号ＸＨＯＴの論理レベルは一例であり、例えば、温度異常検出回路２５０は、プリントヘッド２１及び駆動信号選択回路２００の温度が正常であると判断した場合にＬレベルの異常信号ＸＨＯＴを出力し、プリントヘッド２１又は駆動信号選択回路２００の温度が異常であると判断した場合にＨレベルの異常信号ＸＨＯＴを出力してもよい。
【００６３】
制御回路１００は、温度信号ＴＨ及び異常信号ＸＨＯＴに応じた各種の処理を行う。換
言すれば、異常信号ＸＨＯＴは、前記プリントヘッド２１及び駆動信号選択回路２００の温度異常の有無を示す信号である。これにより、吐出部６００からのインクの吐出精度を高めることができるとともに、印刷状態におけるプリントヘッド２１及び駆動信号選択回路２００の動作異常や故障等を未然に防ぐことができる。
【００６４】
３．駆動信号の波形の一例
ここで、駆動信号出力回路５０で生成される駆動信号ＣＯＭＡ，ＣＯＭＢの波形の一例と、圧電素子６０に供給される駆動信号ＶＯＵＴの波形の一例について図３及び図４を用いて説明する。
【００６５】
図３は、駆動信号ＣＯＭＡ，ＣＯＭＢの一例を示す図である。図３に示すように、駆動信号ＣＯＭＡは、ラッチ信号ＬＡＴが立ち上がってからチェンジ信号ＣＨ１が立ち上がるまでの期間Ｔ１に配置された台形波形Ａｄｐ１と、チェンジ信号ＣＨ１が立ち上がってから次にラッチ信号ＬＡＴが立ち上がるまでの期間Ｔ２に配置された台形波形Ａｄｐ２とを連続させた波形である。本実施形態において、台形波形Ａｄｐ１と台形波形Ａｄｐ２とは、互いに略同一の量のインクを吐出させる波形である。この台形波形Ａｄｐ１、Ａｄｐ２のそれぞれが、圧電素子６０の一端に供給された場合、当該圧電素子６０に対応する吐出部６００から、中程度の量のインクが吐出される。
【００６６】
また、駆動信号ＣＯＭＢは、ラッチ信号ＬＡＴが立ち上がってからチェンジ信号ＣＨ２が立ち上がるまでの期間Ｔ３に配置された台形波形Ｂｄｐ１と、チェンジ信号ＣＨ２が立ち上がってから次にラッチ信号ＬＡＴが立ち上がるまでの期間Ｔ４に配置された台形波形Ｂｄｐ２とを連続させた波形である。本実施形態において、台形波形Ｂｄｐ１と台形波形Ｂｄｐ２とは、互いに異なる波形である。このうち、台形波形Ｂｄｐ１は、吐出部６００のノズル開孔部付近のインクを微振動させて、インク粘度の増大を防止するための波形である。この台形波形Ｂｄｐ１が圧電素子６０の一端に供給された場合、当該圧電素子６０に対応する吐出部６００からインクは吐出されない。また、台形波形Ｂｄｐ２は、台形波形Ａｄｐ１，Ａｄｐ２及び台形波形Ｂｄｐ１と異なる波形である。この台形波形Ｂｄｐ２が圧電素子６０の一端に供給された場合、当該圧電素子６０に対応する吐出部６００から、中程度量よりも少ない量のインクが吐出される。
【００６７】
以上のように、吐出部６００は、駆動信号ＣＯＭＡが圧電素子６０に供給された場合と駆動信号ＣＯＭＢが圧電素子６０に供給された場合とで異なる量のインクを吐出する。すなわち、駆動信号ＣＯＭＡが圧電素子６０に供給された場合に吐出部６００から吐出されるインクの量、又は駆動信号ＣＯＭＢが圧電素子６０に供給された場合に吐出部６００から吐出されるインクの量の一方が第１の量の一例であり、吐出部６００から吐出されるインクの量の他方が、第１の量とは異なる量の一例である。
【００６８】
ここで、ラッチ信号ＬＡＴが立ち上がってから、次にラッチ信号ＬＡＴが立ち上がるまでの周期Ｔａが、媒体Ｐに新たなドットを形成する印刷周期に相当する。すなわち、ラッチ信号ＬＡＴは、吐出タイミングを規定する信号である。また、チェンジ信号ＣＨ１は、駆動信号ＣＯＭＡに含まれる台形波形Ａｄｐ１と台形波形Ａｄｐ２との波形切替タイミングを規定する信号である。また、チェンジ信号ＣＨ２は、駆動信号ＣＯＭＢに含まれる台形波形Ｂｄｐ１と台形波形Ｂｄｐ２との波形切替タイミングを規定する信号である。
【００６９】
そして、台形波形Ａｄｐ１、Ａｄｐ２、Ｂｄｐ１、Ｂｄｐ２のそれぞれの、開始タイミング及び終了タイミングでの電圧は、いずれも電圧Ｖｃで共通である。すなわち、台形波形Ａｄｐ１、Ａｄｐ２、Ｂｄｐ１、Ｂｄｐ２は、それぞれ電圧Ｖｃで開始し、電圧Ｖｃで終了する波形となっている。なお、駆動信号ＣＯＭＡ，ＣＯＭＢのそれぞれは、周期Ｔａにおいて、２つの台形波形が連続した波形の信号であるとして説明を行ったが、３つ以上
の台形波形が連続した波形の信号であってもよい。
【００７０】
図４は、「大ドット」、「中ドット」、「小ドット」及び「非記録」のそれぞれに対応する駆動信号ＶＯＵＴの一例を示す図である。
【００７１】
図４に示すように、「大ドット」に対応する駆動信号ＶＯＵＴは、周期Ｔａにおいて、台形波形Ａｄｐ１と台形波形Ａｄｐ２とを連続させた波形となっている。この駆動信号ＶＯＵＴが圧電素子６０の一端に供給された場合、周期Ｔａにおいて、当該圧電素子６０に対応した吐出部６００から、中程度の量のインクが２回にわけて吐出される。よって、媒体Ｐにはそれぞれのインクが着弾し合体して大ドットが形成される。
【００７２】
「中ドット」に対応する駆動信号ＶＯＵＴは、周期Ｔａにおいて、台形波形Ａｄｐ１と台形波形Ｂｄｐ２とを連続させた波形となっている。この駆動信号ＶＯＵＴが圧電素子６０の一端に供給された場合、周期Ｔａにおいて、当該圧電素子６０に対応した吐出部６００から、中程度の量のインクと小程度の量のインクとが吐出される。よって、媒体Ｐにはそれぞれのインクが着弾し合体して中ドットが形成される。
【００７３】
「小ドット」に対応する駆動信号ＶＯＵＴは、周期Ｔａにおいて、台形波形Ｂｄｐ２となっている。この駆動信号ＶＯＵＴが圧電素子６０の一端に供給された場合、周期Ｔａにおいて、当該圧電素子６０に対応した吐出部６００から、小程度の量のインクが吐出される。よって、媒体Ｐにはこのインクが着弾して小ドットが形成される。
【００７４】
「非記録」に対応する駆動信号ＶＯＵＴは、周期Ｔａにおいて、台形波形Ｂｄｐ１となっている。この駆動信号ＶＯＵＴが圧電素子６０の一端に供給された場合、周期Ｔａにおいて、当該圧電素子６０に対応した吐出部６００のノズル開孔部付近のインクが微振動するのみで、インクは吐出されない。このため、媒体Ｐにはインクが着弾せず、ドットが形成されない。
【００７５】
ここで、駆動信号ＶＯＵＴとして駆動信号ＣＯＭＡ，ＣＯＭＢのいずれも選択されていない場合、圧電素子６０の一端には、当該圧電素子６０の容量成分により直前の電圧Ｖｃが保持される。すなわち、駆動信号ＣＯＭＡ，ＣＯＭＢのいずれも選択されていない場合、電圧Ｖｃが駆動信号ＶＯＵＴとして圧電素子６０に供給される。
【００７６】
なお、図３及び図４に示した駆動信号ＣＯＭＡ，ＣＯＭＢ及び駆動信号ＶＯＵＴはあくまでも一例であり、プリントヘッド２１が搭載されるキャリッジ２０の移動速度、吐出されるインクの物性、及び媒体Ｐの材質等に応じて、様々な波形の組み合わせが用いられてもよい。また、駆動信号ＣＯＭＡ及び駆動信号ＣＯＭＢとは、同じ台形波形が連続した信号であってもよい。
【００７７】
４．駆動信号選択回路の構成と動作
次に、駆動信号選択回路２００の構成及び動作について図５〜図８を用いて説明する。図５は、駆動信号選択回路２００の構成を示す図である。図５に示すように、駆動信号選択回路２００は、選択制御回路２２０及び複数の選択回路２３０を含む。
【００７８】
選択制御回路２２０には、印刷データ信号ＳＩ、ラッチ信号ＬＡＴ、チェンジ信号ＣＨ１，ＣＨ２、クロック信号ＳＣＫ、及びエヌチャージ信号ＮＣＨＧが入力される。また、選択制御回路２２０には、シフトレジスター（Ｓ／Ｒ）２２２とラッチ回路２２４とデコーダー２２６との組が、複数の吐出部６００の各々に対応して設けられている。すなわち、駆動信号選択回路２００は、対応する吐出部６００の総数ｍと同数のシフトレジスター２２２とラッチ回路２２４とデコーダー２２６との組を含む。
【００７９】
印刷データ信号ＳＩは、駆動信号ＣＯＭＡ及び駆動信号ＣＯＭＢの波形選択を規定する信号である。具体的には、印刷データ信号ＳＩは、クロック信号ＳＣＫに同期した信号であって、ｍ個の吐出部６００の各々に対して、「大ドット」、「中ドット」、「小ドット」及び「非記録」のいずれかを選択するための２ビットの印刷データ［ＳＩＨ，ＳＩＬ］を含む、合計２ｍビットの信号である。そして、印刷データ信号ＳＩは、吐出部６００に対応して、印刷データ信号ＳＩに含まれる２ビット分の印刷データ［ＳＩＨ，ＳＩＬ］毎に、シフトレジスター２２２に保持される。詳細には、吐出部６００に対応したｍ段のシフトレジスター２２２が互いに縦続接続されるとともに、シリアルで供給された印刷データ信号ＳＩが、クロック信号ＳＣＫに従って順次後段に転送される。なお、図５では、シフトレジスター２２２を区別するために、印刷データ信号ＳＩが供給される上流側から順番に１段、２段、…、ｍ段と表記している。
【００８０】
ｍ個のラッチ回路２２４の各々は、ｍ個のシフトレジスター２２２の各々で保持された２ビットの印刷データ［ＳＩＨ，ＳＩＬ］をラッチ信号ＬＡＴの立ち上がりでラッチする。
【００８１】
ｍ個のデコーダー２２６の各々は、ｍ個のラッチ回路２２４の各々によってラッチされた２ビットの印刷データ［ＳＩＨ，ＳＩＬ］をデコードする。そして、デコーダー２２６は、ラッチ信号ＬＡＴとチェンジ信号ＣＨ１とで規定される期間Ｔ１，Ｔ２毎に選択信号Ｓ１を出力し、ラッチ信号ＬＡＴとチェンジ信号ＣＨ２とで規定される期間Ｔ３，Ｔ４毎に選択信号Ｓ２を出力する。
【００８２】
図６は、デコーダー２２６におけるデコード内容を示す図である。デコーダー２２６は、エヌチャージ信号ＮＣＨＧがＬレベルの場合、ラッチされた２ビットの印刷データ［ＳＩＨ，ＳＩＬ］に従い選択信号Ｓ１，Ｓ２を出力する。例えば、デコーダー２２６は、エヌチャージ信号ＮＣＨＧがＬレベルの場合であって、ラッチされた２ビットの印刷データ［ＳＩＨ，ＳＩＬ］が［１，０］の場合、選択信号Ｓ１を、期間Ｔ１，Ｔ２のそれぞれにおいて、Ｈ，Ｌレベルとし、選択信号Ｓ２を、期間Ｔ３，Ｔ４のそれぞれにおいて、Ｌ，Ｈレベルとして出力する。また、デコーダー２２６は、エヌチャージ信号ＮＣＨＧがＨレベルの場合、印刷データ［ＳＩＨ，ＳＩＬ］及び周期Ｔａに依らず、選択信号Ｓ１をＨレベル、選択信号Ｓ２をＬレベルとして出力する。なお、選択信号Ｓ１，Ｓ２は、不図示のレベルシフターによって、高電圧信号ＶＨＶに基づく高振幅論理にレベルシフトされる。
【００８３】
選択回路２３０は、吐出部６００のそれぞれに対応して設けられている。すなわち、駆動信号選択回路２００が有する選択回路２３０の数は、対応する吐出部６００の総数ｍと同じである。
【００８４】
図７は、吐出部６００の１個分に対応する選択回路２３０の構成を示す図である。図７に示すように、選択回路２３０は、ＮＯＴ回路であるインバーター２３２ａ，２３２ｂ、とトランスファーゲート２３４ａ，２３４ｂとを有する。
【００８５】
選択信号Ｓ１は、トランスファーゲート２３４ａにおいて丸印が付されていない正制御端に供給される一方で、インバーター２３２ａによって論理反転されて、トランスファーゲート２３４ａにおいて丸印が付された負制御端に供給される。また、選択信号Ｓ２は、トランスファーゲート２３４ｂの正制御端に供給される一方で、インバーター２３２ｂによって論理反転されて、トランスファーゲート２３４ｂの負制御端に供給される。
【００８６】
トランスファーゲート２３４ａの入力端には、駆動信号ＣＯＭＡが供給され、トランスファーゲート２３４ｂの入力端には、駆動信号ＣＯＭＢが供給される。トランスファーゲ
ート２３４ａ，２３４ｂの出力端同士は共通接続され、当該共通接続端子を介して駆動信号ＶＯＵＴが吐出部６００に出力される。
【００８７】
トランスファーゲート２３４ａは、選択信号Ｓ１がＨレベルの場合、入力端と出力端との間を導通（オン）とし、選択信号Ｓ１がＬレベルの場合、入力端と出力端との間を非導通（オフ）とする。トランスファーゲート２３４ｂは、選択信号Ｓ２がＨレベルの場合、入力端と出力端との間を導通とし、選択信号Ｓ２がＬレベルの場合、入力端と出力端との間を非導通とする。
【００８８】
ここで、エヌチャージ信号ＮＣＨＧは、前述のとおり、印刷データ［ＳＩＨ，ＳＩＬ］及び周期Ｔａに依らず、デコーダー２２６から、Ｈレベルの選択信号Ｓ１及びＬレベルの選択信号Ｓ２を出力させる。すなわち、エヌチャージ信号ＮＣＨＧは、トランスファーゲート２３４ａを強制的に導通させるための信号である。エヌチャージ信号ＮＣＨＧは、例えば、プリントヘッド２１のメンテナンス動作等に用いられる。なお、本実施形態においてエヌチャージ信号ＮＣＨＧは、液体吐出装置１が、印刷動作を実行している場合においてＬレベル、メンテナンス動作等を実行している場合においてＨレベルとしているが、これに限るものではない。
【００８９】
次に、駆動信号選択回路２００の動作について図８を用いて説明する。図８は、駆動信号選択回路２００の動作を説明するための図である。印刷データ信号ＳＩは、クロック信号ＳＣＫに同期してシリアルで供給されて、吐出部６００に対応するシフトレジスター２２２において順次転送される。そして、クロック信号ＳＣＫの供給が停止すると、各シフトレジスター２２２には、吐出部６００の各々に対応した２ビットの印刷データ［ＳＩＨ，ＳＩＬ］が保持される。なお、印刷データ信号ＳＩは、シフトレジスター２２２における最終ｍ段、…、２段、１段の吐出部６００に対応した順に供給される。
【００９０】
そして、ラッチ信号ＬＡＴが立ち上がると、ラッチ回路２２４のそれぞれは、シフトレジスター２２２に保持されている２ビットの印刷データ［ＳＩＨ，ＳＩＬ］を一斉にラッチする。図８において、ＬＴ１、ＬＴ２、…、ＬＴｍは、１段、２段、…、ｍ段のシフトレジスター２２２に対応するラッチ回路２２４によってラッチされた２ビットの印刷データ［ＳＩＨ，ＳＩＬ］を示している。
【００９１】
デコーダー２２６は、ラッチされた２ビットの印刷データ［ＳＩＨ，ＳＩＬ］で規定されるドットのサイズに応じて、期間Ｔ１，Ｔ２，Ｔ３，Ｔ４のそれぞれにおいて、選択信号Ｓ１，Ｓ２の論理レベルを図６に示すような内容で出力する。
【００９２】
具体的には、デコーダー２２６は、当該印刷データ［ＳＩＨ，ＳＩＬ］が［１，１］の場合、選択信号Ｓ１を期間Ｔ１，Ｔ２においてＨ，Ｈレベルとし、選択信号Ｓ２を期間Ｔ３，Ｔ４においてＬ，Ｌレベルとする。この場合、選択回路２３０は、期間Ｔ１において駆動信号ＣＯＭＡに含まれる台形波形Ａｄｐ１を選択し、期間Ｔ２において駆動信号ＣＯＭＡに含まれる台形波形Ａｄｐ２を選択し、期間Ｔ３において駆動信号ＣＯＭＢに含まれる台形波形Ｂｄｐ１を選択せず、期間Ｔ４において駆動信号ＣＯＭＢに含まれる台形波形Ｂｄｐ２を選択しない。その結果、図４に示した「大ドット」に対応する駆動信号ＶＯＵＴが生成される。
【００９３】
また、デコーダー２２６は、当該印刷データ［ＳＩＨ，ＳＩＬ］が［１，０］の場合、選択信号Ｓ１を期間Ｔ１，Ｔ２においてＨ，Ｌレベルとし、選択信号Ｓ２を期間Ｔ３，Ｔ４においてＬ，Ｈレベルとする。この場合、選択回路２３０は、期間Ｔ１において駆動信号ＣＯＭＡに含まれる台形波形Ａｄｐ１を選択し、期間Ｔ２において駆動信号ＣＯＭＡに含まれる台形波形Ａｄｐ２を選択せず、期間Ｔ３において駆動信号ＣＯＭＢに含まれる台
形波形Ｂｄｐ１を選択せず、期間Ｔ４において駆動信号ＣＯＭＢに含まれる台形波形Ｂｄｐ２を選択する。その結果、図４に示した「中ドット」に対応する駆動信号ＶＯＵＴが生成される。
【００９４】
また、デコーダー２２６は、当該印刷データ［ＳＩＨ，ＳＩＬ］が［０，１］の場合、選択信号Ｓ１を期間Ｔ１，Ｔ２においてＬ，Ｌレベルとし、選択信号Ｓ２を期間Ｔ３，Ｔ４においてＬ，Ｈレベルとする。この場合、選択回路２３０は、期間Ｔ１において駆動信号ＣＯＭＡに含まれる台形波形Ａｄｐ１を選択せず、期間Ｔ２において駆動信号ＣＯＭＡに含まれる台形波形Ａｄｐ２を選択せず、期間Ｔ３において駆動信号ＣＯＭＢに含まれる台形波形Ｂｄｐ１を選択せず、期間Ｔ４において駆動信号ＣＯＭＢに含まれる台形波形Ｂｄｐ２を選択する。その結果、図４に示した「小ドット」に対応する駆動信号ＶＯＵＴが生成される。
【００９５】
また、デコーダー２２６は、当該印刷データ［ＳＩＨ，ＳＩＬ］が［０，０］の場合、選択信号Ｓ１を期間Ｔ１，Ｔ２においてＬ，Ｌレベルとし、選択信号Ｓ２を期間Ｔ３，Ｔ４においてＨ，Ｌレベルとする。この場合、選択回路２３０は、期間Ｔ１において駆動信号ＣＯＭＡに含まれる台形波形Ａｄｐ１を選択せず、期間Ｔ２において駆動信号ＣＯＭＡに含まれる台形波形Ａｄｐ２を選択せず、期間Ｔ３において駆動信号ＣＯＭＢに含まれる台形波形Ｂｄｐ１を選択し、期間Ｔ４において駆動信号ＣＯＭＢに含まれる台形波形Ｂｄｐ２を選択しない。その結果、図４に示した「非記録」に対応する駆動信号ＶＯＵＴが生成される。
【００９６】
以上のように、駆動信号選択回路２００は、印刷データ信号ＳＩ、ラッチ信号ＬＡＴ、チェンジ信号ＣＨ１，ＣＨ２及びクロック信号ＳＣＫに基づいて、駆動信号ＣＯＭＡ，ＣＯＭＢを選択し、駆動信号ＶＯＵＴを出力する。この駆動信号選択回路２００は、例えば、ＩＣ（Integrated Circuit）として構成されても良い。
【００９７】
５．温度異常検出回路の構成及び動作
次に、温度異常検出回路２５０の構成及び動作について図９を用いて説明する。図９は、温度異常検出回路２５０の構成を示す図である。図９に示すように、温度異常検出回路２５０は、コンパレーター２５１、基準電圧出力回路２５２、トランジスター２５３、複数のダイオード２５４及び抵抗２５５，２５６を含む。
【００９８】
基準電圧出力回路２５２には、低電圧信号ＶＤＤ２が入力される。基準電圧出力回路２５２は、低電圧信号ＶＤＤ２を変圧することで電圧Ｖｒｅｆを生成し、コンパレーター２５１の＋側入力端子に供給する。基準電圧出力回路２５２は、例えば電圧レギュレーター回路などで構成される。
【００９９】
複数のダイオード２５４は、互いに直列に接続されている。そして、直列に接続された複数のダイオード２５４のうち、最も高電位側に位置するダイオード２５４のアノード端子には抵抗２５５を介して低電圧信号ＶＤＤ２が供給され、最も低電位側に位置するダイオード２５４のカソード端子にはグラウンド信号ＧＮＤが供給される。具体的には、温度異常検出回路２５０は、複数のダイオード２５４として、ダイオード２５４−１，２５４−２，２５４−３，２５４−４を有する。ダイオード２５４−１のアノード端子には、抵抗２５５を介して低電圧信号ＶＤＤ２が供給されると共に、コンパレーター２５１の−側入力端子と接続される。ダイオード２５４−１のカソード端子は、ダイオード２５４−２のアノード端子と接続される。ダイオード２５４−２のカソード端子は、ダイオード２５４−３のアノード端子と接続される。ダイオード２５４−３のカソード端子は、ダイオード２５４−４のアノード端子と接続される。ダイオード２５４−４のカソード端子には、グラウンド信号ＧＮＤが供給される。以上のように構成された抵抗２５５及び複数のダイ
オード２５４によって、コンパレーター２５１の−側入力端子には、複数のダイオード２５４のそれぞれの順方向電圧の和である電圧Ｖｄｅｔが供給される。なお、温度異常検出回路２５０が有する複数のダイオード２５４の数は４つに限られるものではない。
【０１００】
コンパレーター２５１は、低電圧信号ＶＤＤ２とグラウンド信号ＧＮＤとの電位差により動作する。そして、コンパレーター２５１は、＋側入力端子に供給される電圧Ｖｒｅｆと−側入力端子に供給される電圧Ｖｄｅｔとを比較し、当該比較結果に基づく信号を出力端子から出力する。
【０１０１】
トランジスター２５３のドレイン端子には抵抗２５６を介して低電圧信号ＶＤＤ２が供給される。また、トランジスター２５３のゲート端子はコンパレーター２５１の出力端子と接続され、ソース端子にはグラウンド信号ＧＮＤが供給される。以上のように接続されたトランジスター２５３のドレイン端子に供給される電圧が、異常信号ＸＨＯＴとして温度異常検出回路２５０から出力される。
【０１０２】
基準電圧出力回路２５２が生成する電圧Ｖｒｅｆの電圧値は、複数のダイオード２５４の温度が所定の範囲内である場合の電圧Ｖｄｅｔよりも小さい。この場合において、コンパレーター２５１は、Ｌレベルの信号を出力する。したがって、トランジスター２５３はオフに制御され、その結果、温度異常検出回路２５０は、Ｈレベルの異常信号ＸＨＯＴを出力する。
【０１０３】
ダイオード２５４の順方向電圧は、温度が上昇すると低下する特性を有する。したがって、プリントヘッド２１又は駆動信号選択回路２００に温度異常が生じた場合、ダイオード２５４の温度が上昇し、それに伴って電圧Ｖｄｅｔが低下する。そして、当該温度上昇に起因して電圧Ｖｄｅｔが電圧Ｖｒｅｆを下回った場合に、コンパレーター２５１の出力信号は、ＬレベルからＨレベルとなる。したがって、トランジスター２５３はオンに制御される。その結果、温度異常検出回路２５０は、Ｌレベルの異常信号ＸＨＯＴを出力する。すなわち、温度異常検出回路２５０は、駆動信号選択回路２００の温度に基づいてトランジスター２５３がオン又はオフに制御されることで、Ｈレベルの異常信号ＸＨＯＴとして当該トランジスター２５３のプルアップ電圧として供給される低電圧信号ＶＤＤ２を出力し、Ｌレベルの異常信号ＸＨＯＴとしてグラウンド信号ＧＮＤを出力する。
【０１０４】
６．プリントヘッドの構成
ここで、図１０を用いてプリントヘッド２１の構成の一例について説明する。図１０はプリントヘッド２１の構成を示す斜視図である。プリントヘッド２１は、ヘッド３１０及びヘッド基板３２０を有する。また、ヘッド３１０は、複数の吐出部６００からインクを吐出するインク吐出面３１１を有する。
【０１０５】
図１１は、ヘッド３１０のインク吐出面３１１を示す平面図である。図１１に示すように、インク吐出面３１１には、ノズルプレート６３２が、Ｘ方向に沿って６つ並んで設けられている。ノズルプレート６３２のそれぞれには、Ｙ方向に沿ってノズル６５１が並ぶノズル列Ｌ１〜Ｌ６が形成されている。なお、図１１では、ノズルプレート６３２のそれぞれに設けられるノズル列Ｌ１〜Ｌ６には、ノズル６５１が１列で並設されているが、ノズル６５１が２列以上で並設されていてもよい。そして、インク吐出面３１１に形成されるノズル列Ｌ１〜Ｌ６には、それぞれ異なる色彩のインクが供給される。なお、ノズル列Ｌ１〜Ｌ６のうちの幾つかに、共通の色彩のインクが供給される構成であってもよい。
【０１０６】
ここで、図２において説明した駆動信号選択回路２００ａ〜２００ｆのそれぞれに対応して設けられる吐出部６００とは、図１１に示すノズル列Ｌ１〜Ｌ６のそれぞれに設けられる吐出部６００に相当する。具体的には、駆動信号選択回路２００ａが出力する駆動信
号ＶＯＵＴ１は、ノズル列Ｌ１に設けられる複数の吐出部６００が有する圧電素子６０の一端に供給され、当該圧電素子６０の他端には、基準電圧信号ＣＧＮＤ１が供給される。同様に、駆動信号選択回路２００ｂが出力する駆動信号ＶＯＵＴ２は、ノズル列Ｌ２に設けられる複数の吐出部６００が有する圧電素子６０の一端に供給され、当該圧電素子６０の他端には、基準電圧信号ＣＧＮＤ２が供給される。同様に、駆動信号選択回路２００ｃが出力する駆動信号ＶＯＵＴ３は、ノズル列Ｌ３に設けられる複数の吐出部６００が有する圧電素子６０の一端に供給され、当該圧電素子６０の他端には、基準電圧信号ＣＧＮＤ３が供給される。同様に、駆動信号選択回路２００ｄが出力する駆動信号ＶＯＵＴ４は、ノズル列Ｌ４に設けられる複数の吐出部６００が有する圧電素子６０の一端に供給され、当該圧電素子６０の他端には、基準電圧信号ＣＧＮＤ４が供給される。同様に、駆動信号選択回路２００ｅが出力する駆動信号ＶＯＵＴ５は、ノズル列Ｌ５に設けられる複数の吐出部６００が有する圧電素子６０の一端に供給され、当該圧電素子６０の他端には、基準電圧信号ＣＧＮＤ５が供給される。同様に、駆動信号選択回路２００ｆが出力する駆動信号ＶＯＵＴ６は、ノズル列Ｌ６に設けられる複数の吐出部６００が有する圧電素子６０の一端に供給され、当該圧電素子６０の他端には、基準電圧信号ＣＧＮＤ６が供給される。
【０１０７】
次に、吐出部６００の構成について、図１２を用いて説明する。図１２は、プリントヘッド２１に含まれる複数の吐出部６００の１つの概略構成を示す図である。図１２に示すように、プリントヘッド２１は、吐出部６００及びリザーバー６４１を含む。
【０１０８】
リザーバー６４１は、インクの色毎に設けられている。すなわち、リザーバー６４１は、ノズル列Ｌ１〜Ｌ６のそれぞれにおいて、共通に設けられている。そして、インクは、インク供給口６６１からリザーバー６４１に導入される。
【０１０９】
吐出部６００は、圧電素子６０、振動板６２１、圧力室として機能するキャビティー６３１及びノズル６５１を含む。このうち、振動板６２１は、図１２において上面に設けられた圧電素子６０によって変位し、インクが充填されるキャビティー６３１の内部容積を拡大／縮小させるダイヤフラムとして機能する。ノズル６５１は、ノズルプレート６３２に設けられるとともに、キャビティー６３１に連通する開孔部である。キャビティー６３１は、内部にインクが充填され、圧電素子６０の変位により、内部容積が変化する。ノズル６５１は、キャビティー６３１に連通し、キャビティー６３１の内部容積の変化に応じてキャビティー６３１の内部のインクを吐出する。
【０１１０】
図１２で示される圧電素子６０は、圧電体６０１を一対の電極６１１，６１２で挟んだ構造である。この構造の圧電体６０１では、電極６１１，６１２に供給された電圧に応じて、電極６１１，６１２及び振動板６２１の中央部分が、両端部分に対して図１２における上下方向に撓む。具体的には、駆動信号ＶＯＵＴの電圧が高くなると、圧電素子６０の中央部分が上方向に撓む。一方、駆動信号ＶＯＵＴの電圧が低くなると、圧電素子６０の中央部分が下方向に撓む構成となっている。この構成において、圧電素子６０が上方向に撓めば、キャビティー６３１の内部容積が拡大する。したがって、インクがリザーバー６４１から引き込まれる。一方、圧電素子６０が下方向に撓めば、キャビティー６３１の内部容積が縮小する。したがって、縮小の程度に応じたインクが、ノズル６５１から吐出される。
【０１１１】
なお、圧電素子６０は、図示した構造に限られず、圧電素子６０を変形させてインクのようなインクを吐出させることができる型であればよい。また、圧電素子６０は、屈曲振動に限られず、縦振動を用いる構成でもよい。
【０１１２】
図１０に戻り、基板の一例であるヘッド基板３２０は、面３２１と、面３２１と異なる面３２２とを有し、辺３２３と、辺３２３に対してＸ方向で対向する辺３２４と、辺３２
５と、辺３２５に対してＹ方向に対向する辺３２６とを有する略矩形状の回路基板である。ここで、ヘッド基板３２０において、面３２１と面３２２とはヘッド基板３２０の基材を介して対向して位置する面であり、換言すれば、面３２１と面３２２とは、ヘッド基板３２０の表裏の面である。なお、ヘッド基板３２０の形状は矩形に限られるものではなく、例えば、六角形や八角形等の多角形であってもよく、さらには、一部に切欠きや弧等が形成されていてもよい。
【０１１３】
ヘッド基板３２０においてヘッド３１０が接続される面３２１には、第１コネクター３５０及び第２コネクター３６０が実装されている。また、ヘッド基板３２０において面３２１と反対側の面３２２には、接続端子群３３１〜３３６が形成されている。さらに、ヘッド基板３２０には、面３２１と面３２２とを挿通するＦＰＣ挿通孔３３７〜３３９と、インク供給路挿通孔３４０〜３４５とが形成されている。
【０１１４】
第１コネクター３５０は、ヘッド基板３２０の辺３２３に沿って設けられている。また、第２コネクター３６０は、ヘッド基板３２０の辺３２４に沿って設けられている。第１コネクター３５０及び第２コネクター３６０には、プリントヘッド２１を制御するための複数の信号を含む制御信号Ｃｔｒｌ−Ｈ及び複数の駆動信号ＣＯＭが入力される。そして、制御信号Ｃｔｒｌ−Ｈ及び複数の駆動信号ＣＯＭは、ヘッド基板３２０に形成された不図示の配線パターンによって接続端子群３３１〜３３６のそれぞれに伝搬される。
【０１１５】
具体的には、接続端子群３３１は、Ｙ方向に沿って並設された複数の電極を有する。そして、接続端子群３３１には、ノズル列Ｌ１に含まれる吐出部６００からのインクの吐出を制御するための印刷データ信号ＳＩ１、チェンジ信号ＣＨ１，ＣＨ２、ラッチ信号ＬＡＴ、及びクロック信号ＳＣＫと、駆動信号ＣＯＭＡ１，ＣＯＭＢ１と、基準電圧信号ＣＧＮＤ１とを含む信号が供給される。
【０１１６】
同様に、接続端子群３３２は、接続端子群３３１の辺３２４側において、Ｙ方向に沿って並設された複数の電極を有する。そして、接続端子群３３２には、ノズル列Ｌ２に含まれる吐出部６００からのインクの吐出を制御するための印刷データ信号ＳＩ２、チェンジ信号ＣＨ１，ＣＨ２、ラッチ信号ＬＡＴ、及びクロック信号ＳＣＫと、駆動信号ＣＯＭＡ２，ＣＯＭＢ２と、基準電圧信号ＣＧＮＤ２とを含む信号が供給される。
【０１１７】
同様に、接続端子群３３３は、接続端子群３３２の辺３２４側において、Ｙ方向に沿って並設された複数の電極を有する。そして、接続端子群３３３には、ノズル列Ｌ３に含まれる吐出部６００からのインクの吐出を制御するための印刷データ信号ＳＩ３、チェンジ信号ＣＨ１，ＣＨ２、ラッチ信号ＬＡＴ、及びクロック信号ＳＣＫと、駆動信号ＣＯＭＡ３，ＣＯＭＢ３と、基準電圧信号ＣＧＮＤ３とを含む信号が供給される。
【０１１８】
同様に、接続端子群３３４は、接続端子群３３３の辺３２４側において、Ｙ方向に沿って並設された複数の電極を有する。そして、接続端子群３３４には、ノズル列Ｌ４に含まれる吐出部６００からのインクの吐出を制御するための印刷データ信号ＳＩ４、チェンジ信号ＣＨ１，ＣＨ２、ラッチ信号ＬＡＴ、及びクロック信号ＳＣＫと、駆動信号ＣＯＭＡ４，ＣＯＭＢ４と、基準電圧信号ＣＧＮＤ４とを含む信号が供給される。
【０１１９】
同様に、接続端子群３３５は、接続端子群３３４の辺３２４側において、Ｙ方向に沿って並設された複数の電極を有する。そして、接続端子群３３５には、ノズル列Ｌ５に含まれる吐出部６００からのインクの吐出を制御するための印刷データ信号ＳＩ５、チェンジ信号ＣＨ１，ＣＨ２、ラッチ信号ＬＡＴ、及びクロック信号ＳＣＫと、駆動信号ＣＯＭＡ５，ＣＯＭＢ５と、基準電圧信号ＣＧＮＤ５とを含む信号が供給される。
【０１２０】
同様に、接続端子群３３６は、接続端子群３３５の辺３２４側において、Ｙ方向に沿って並設された複数の電極を有する。そして、接続端子群３３６には、ノズル列Ｌ６に含まれる吐出部６００からのインクの吐出を制御するための印刷データ信号ＳＩ６、チェンジ信号ＣＨ１，ＣＨ２、ラッチ信号ＬＡＴ、及びクロック信号ＳＣＫと、駆動信号ＣＯＭＡ６，ＣＯＭＢ６と、基準電圧信号ＣＧＮＤ６とを含む信号が供給される。
【０１２１】
また、接続端子群３３１〜３３６のそれぞれには、不図示のフレキシブル配線基板（ＦＰＣ：Flexible Printed Circuits）が接続されている。なお、上述した接続端子群３３１〜３３６のそれぞれに供給される信号は一例であって、ヘッド３１０に設けられたノズル列Ｌ１〜Ｌ６の配置や、ＦＰＣの構造等に応じた信号が供給されてもよい。
【０１２２】
ＦＰＣ挿通孔３３７は、Ｘ方向において接続端子群３３１と接続端子群３３２との間に形成されている。そして、接続端子群３３１，３３２のそれぞれと接続されたＦＰＣは、ＦＰＣ挿通孔３３７に挿通され、ヘッド３１０に設けられたノズル列Ｌ１，Ｌ２のそれぞれに含まれる複数の圧電素子６０と電気的に接続される。
【０１２３】
ＦＰＣ挿通孔３３８は、Ｘ方向において接続端子群３３３と接続端子群３３４との間に形成されている。そして、接続端子群３３３，３３４のそれぞれと接続されたＦＰＣは、ＦＰＣ挿通孔３３８に挿通され、ヘッド３１０に設けられたノズル列Ｌ３，Ｌ４のそれぞれに含まれる複数の圧電素子６０と電気的に接続される。
【０１２４】
ＦＰＣ挿通孔３３９は、Ｘ方向において接続端子群３３５と接続端子群３３６との間に形成されている。そして、接続端子群３３５，３３６のそれぞれと接続されたＦＰＣは、ＦＰＣ挿通孔３３９に挿通され、ヘッド３１０に設けられたノズル列Ｌ５，Ｌ６のそれぞれに含まれる複数の圧電素子６０と電気的に接続される。
【０１２５】
ここで、図示を省略するが、プリントヘッド２１が有する駆動信号選択回路２００ａ〜２００ｆのそれぞれは、接続端子群３３１〜３３６のそれぞれと接続されるＦＰＣ上にＣＯＦ（Chip On Film）実装されていてもよく、また、ヘッド３１０の内部に設けられていてもよい。
【０１２６】
インク供給路挿通孔３４０には、ノズル列Ｌ１から吐出されるインクが供給されるインク供給口６６１にインクを供給する不図示のインク供給路の一部が挿通されている。同様に、インク供給路挿通孔３４１〜３４５のそれぞれには、ノズル列Ｌ２，Ｌ３，Ｌ４，Ｌ５，Ｌ６のそれぞれから吐出されるインクが供給されるインク供給口６６１にインクを供給する不図示のインク供給路の一部が挿通されている。
【０１２７】
次に図１３及び図１４を用いて、ヘッド基板３２０に実装されている第１コネクター３５０及び第２コネクター３６０の構成について説明する。
【０１２８】
図１３は、第１コネクター３５０の構成を示す図である。第１コネクター３５０は、ハウジング３５１と、ケーブル取付部３５２と、複数の端子３５３とを有する。複数の端子３５３は、Ｙ方向に並設されている。そして、ケーブル取付部３５２に制御機構１０と電気的に接続されるケーブルが取付けられた場合、当該ケーブルに含まれる複数の端子のそれぞれと、複数の端子３５３のそれぞれとが電気的に接続される。なお、本実施形態の第１コネクター３５０では、２９個の端子３５３がＹ方向に沿って並設されている。以下の説明では、並設される２９個の端子３５３を、辺３２６側から辺３２５側に向かう方向において順に、端子３５３−１，３５３−２，・・・，３５３−２９と称する場合がある。
【０１２９】
図１４は、第２コネクター３６０の構成を示す図である。第２コネクター３６０は、ハ
ウジング３６１と、ケーブル取付部３６２と、複数の端子３６３とを有する。複数の端子３６３は、Ｙ方向に並設されている。そして、ケーブル取付部３６２に制御機構１０と電気的に接続されるケーブルが取付けられた場合、当該ケーブルに含まれる複数の端子のそれぞれと、複数の端子３６３のそれぞれとが電気的に接続される。なお、本実施形態の第２コネクター３６０では、２９個の端子３６３がＹ方向に沿って並設されている。以下の説明では、並設される２９個の端子３６３を、辺３２５側から辺３２６側に向かう方向において順に、端子３６３−１，３６３−２，・・・，３６３−２９と称する場合がある。
【０１３０】
以上のように構成されたプリントヘッド２１は、入力される診断信号に応じて自己診断する機能を有する。自己診断機能とは、プリントヘッド２１が正常であるか否かを自己診断する機能であって、例えば、制御機構１０の制御回路１００からプリントヘッド２１に入力される診断信号に基づいて、正常な印字品質を満たすドットの形成及びインクの吐出が可能か否かをプリントヘッド２１自身で判別する機能である。
【０１３１】
このような自己診断は、例えば液体吐出装置１に電源が投入された場合、液体吐出装置１のシャットダウン処理が実行された場合、印刷の開始指示又は印刷の終了指示が生じた場合等の非印刷状態において実行されることが好ましい。また、液体吐出装置１の電源が継続して投入されている場合であって、非印刷状態が継続する場合の自己診断は、定期的又は不定期に実行されてもよい。このような自己診断は、第１コネクター３５０及び第２コネクター３６０から入力される診断信号に基づき実行される。
【０１３２】
プリントヘッド２１は、例えば、入力される診断信号の電圧レベルが正常であるか否かに応じて、自己診断としてプリントヘッド２１と制御機構１０との接続確認を行っても良い。また、プリントヘッド２１は、例えば、入力される診断信号の論理レベルの組合せに応じて、プリントヘッド２１に含まれる駆動信号選択回路２００及び圧電素子６０等の任意の構成を動作させ、当該動作に起因する電圧信号を検出することで、自己診断としてプリントヘッド２１に含まれる各種構成の動作確認を行っても良い。また、プリントヘッド２１は、例えば、入力される診断信号に含まれる所定のコマンドに応じて、自己診断としてプリントヘッド２１に含まれる駆動信号選択回路２００及び圧電素子６０等の任意の構成の動作確認を行っても良い。なお、プリントヘッド２１は、上記以外の自己診断を行ってもよい。
【０１３３】
７．プリントヘッド制御回路の構成
図１５は、液体吐出装置１をＹ方向から見た場合における内部構成を概略的に示す図である。図１５に示すように液体吐出装置１は、メイン基板１１、第１ケーブル１９ａ、第２ケーブル１９ｂ及びプリントヘッド２１を有する。
【０１３４】
メイン基板１１には、図１及び図２に示す制御機構１０に含まれる駆動信号出力回路５０、及び制御信号Ｃｔｒｌ−Ｈ、診断信号等の各種信号を出力する制御回路１００を含む各種回路が実装されている。また、メイン基板１１には、第３コネクター１２ａ、第４コネクター１２ｂが実装されている。なお、図１５には、メイン基板１１として１枚の回路基板を図示しているが、メイン基板１１は、２枚以上の回路基板で構成されていても良い。第３コネクター１２ａには、第１ケーブル１９ａの一端が取付けられている。また、第４コネクター１２ｂには、第２ケーブル１９ｂの一端が取付けられている。
【０１３５】
プリントヘッド２１は、前述のとおり、ヘッド３１０、ヘッド基板３２０、第１コネクター３５０、及び第２コネクター３６０を有する。第１コネクター３５０には、第１ケーブル１９ａの他端が取付けられる。また、第２コネクター３６０には、第２ケーブル１９ｂの他端が取付けられる。
【０１３６】
以上のように構成された液体吐出装置１は、メイン基板１１に実装された制御機構１０から出力される複数の駆動信号ＣＯＭ、制御信号Ｃｔｒｌ−Ｈ、及び複数の診断信号等の各種信号に基づいて、自己診断機能を有するプリントヘッド２１の動作を制御する。すなわち、図１５に示す液体吐出装置１において、プリントヘッド２１の動作を制御するための複数の駆動信号ＣＯＭ、制御信号Ｃｔｒｌ−Ｈ、及び複数の診断信号等の各種信号を出力する制御機構１０が実装されたメイン基板１１と、プリントヘッド２１の動作を制御するための複数の駆動信号ＣＯＭ、制御信号Ｃｔｒｌ−Ｈ、及び複数の診断信号等の各種信号を伝搬する第１ケーブル１９ａ、及び第２ケーブル１９ｂとを含む構成が、自己診断機能を有するプリントヘッド２１の動作を制御するプリントヘッド制御回路１５の一例である。また、プリントヘッド制御回路１５において、複数の診断信号を生成する制御回路１００が診断信号出力回路の一例である。
【０１３７】
ここで、第１ケーブル１９ａ及び第２ケーブル１９ｂの構成について図１６を用いて説明する。なお、本実施形態において、第１ケーブル１９ａ、及び第２ケーブル１９ｂは同じ構成である。そのため、図１６において第１ケーブル１９ａ及び第２ケーブル１９ｂをケーブル１９と称して説明を行う。図１６は、ケーブル１９の構成を示す図である。ケーブル１９は、互いに対向する短辺１９１，１９２と、互いに対向する長辺１９３，１９４とを有する略矩形であり、例えばフレキシブルフラットケーブル（ＦＦＣ：Flexible Flat Cable）である。
【０１３８】
ケーブル１９の短辺１９１側には、短辺１９１に沿って長辺１９３側から長辺１９４側に向かって２９個の端子１９５−１〜１９５−２９が並んで設けられている。また、ケーブル１９の短辺１９２側には、短辺１９２に沿って長辺１９３側から長辺１９４側に向かって２９個の端子１９６−１〜１９６−２９が並んで設けられている。また、ケーブル１９には、２９個の端子１９５−１〜１９５−２９のそれぞれと２９個の端子１９６−１〜１９６−２９のそれぞれとを電気的に接続する２９個の配線１９７−１〜１９７−２９が長辺１９３側から長辺１９４側に向かって並んで設けられている。具体的には、配線１９７−ｉ（ｉは１〜２９のいずれか）は、端子１９５−ｉと端子１９６−ｉとを電気的に接続する。
【０１３９】
配線１９７−１〜１９７−２９のそれぞれは、絶縁体１９８によって、配線の相互間、及び配線とケーブル１９の外部との間で絶縁されている。そして、ケーブル１９は、例えば、端子１９５−ｉから入力された各種信号が、配線１９７−ｉで伝搬され端子１９６−ｉからヘッド基板３２０に出力される。なお、図１６に示すケーブル１９の構成は一例であり、これに限られるものではなく、例えば、２９個の端子１９５−１〜１９５−２９と、２９個の端子１９６−１〜１９６−２９とがケーブル１９の異なる面に設けられてもよい。また、例えば、２９個の端子１９５−１〜１９５−２９と、２９個の端子１９６−１〜１９６−２９とがケーブル１９の表面及び裏面の双方に設けられていても良い。
【０１４０】
また、図１６には、端子１９６と、ヘッド基板３２０に設けられた第１コネクター３５０の端子３５３、又は第２コネクター３６０の端子３６３とが接触する接触部１８０が図示されている。図１７は、ケーブル１９が第１コネクター３５０に取り付けられた場合における接触部１８０について説明するための図である。なお、第１コネクター３５０と第２コネクター３６０とは同様の構成を有する。したがって、図１７では、ケーブル１９が第１コネクター３５０に取り付けられた場合について説明し、ケーブル１９が第２コネクター３６０に取り付けられた場合の説明については省略する。
【０１４１】
図１７に示すように、第１コネクター３５０の端子３５３は、基板取付部３５３ａ、ハウジング挿通部３５３ｂ、及びケーブル保持部３５３ｃを有する。基板取付部３５３ａは、第１コネクター３５０の下方に位置し、ハウジング３５１とヘッド基板３２０との間に
設けられる。そして、基板取付部３５３ａは、例えば、はんだなどによりヘッド基板３２０に設けられる不図示の電極と電気的に接続される。ハウジング挿通部３５３ｂは、ハウジング３５１の内部を挿通する。そして、ハウジング挿通部３５３ｂは、基板取付部３５３ａとケーブル保持部３５３ｃとを電気的に接続する。ケーブル保持部３５３ｃは、ケーブル取付部３５２の内部に突出する湾曲形状を有する。そして、ケーブル取付部３５２にケーブル１９が取り付けられた場合、ケーブル保持部３５３ｃと端子１９６とが電気的に接触する。これにより、ケーブル１９と第１コネクター３５０、及びヘッド基板３２０とが電気的に接続される。この場合において、ケーブル１９が取り付けられることで、ケーブル保持部３５３ｃに形成された湾曲形状に応力が生じる。そして当該応力により、ケーブル１９は、ケーブル取付部３５２の内部に保持される。接触部１８０は、端子１９６とケーブル保持部３５３ｃとが電気的に接続される接触点である。
【０１４２】
なお、第１コネクター３５０の形状は上述した形状に限られるものではない。第１コネクター３５０は、ケーブル１９を保持し、ケーブル１９で伝搬される信号をヘッド基板３２０に伝搬することが可能な形状であればよく、例えば、第１コネクター３５０がロック機構を有し、当該ロック機構によりケーブル１９を保持しつつ、当該ロック機構の操作に伴い、ケーブル１９と第１コネクター３５０とが電気的に接続される構成であってもよい。すなわち、接触部１８０とは、プリントヘッド制御回路１５に含まれるケーブル１９と、プリントヘッド２１とが電気的に接触する接触点であって、換言すれば、プリントヘッド制御回路１５が、各種制御信号をプリントヘッド２１に出力する出力点である。
【０１４３】
なお、以下の説明において、端子１９６−１〜１９６−２４のそれぞれと第１コネクター３５０又は第２コネクター３６０とが接触する接触部１８０を、それぞれ、接触部１８０−１〜１８０−２４と称する場合がある。
【０１４４】
次に、第１ケーブル１９ａ及び第２ケーブル１９ｂのそれぞれで伝搬される信号の詳細について図１８及び図１９を用いて説明する。なお、図１８及び図１９の説明において、第１ケーブル１９ａに設けられる端子１９５−ｉ，１９６−ｉ、配線１９７−ｉ、及び接触部１８０−ｉのそれぞれを、端子１９５ａ−ｉ，１９６ａ−ｉ、配線１９７ａ−ｉ、及び接触部１８０ａ−ｉと称する。同様に、第２ケーブル１９ｂに設けられる端子１９５−ｉ，１９６−ｉ、配線１９７−ｉ、及び接触部１８０−ｉのそれぞれを、端子１９５ｂ−ｉ，１９６ｂ−ｉ、配線１９７ｂ−ｉ、及び接触部１８０ｂ−ｉと称する。また、端子１９５ａ−ｉ，１９５ｂ−ｉのそれぞれは、第３コネクター１２ａ及び第４コネクター１２ｂのそれぞれに取付けられ、端子１９６ａ−ｉ，１９６ｂ−ｉのそれぞれは、接触部１８０ａ−ｉ，１８０ｂ−ｉを介して第１コネクター３５０及び第２コネクター３６０の端子３５３−ｉ，３６３−ｉのそれぞれと電気的に接続するように取付けられる。
【０１４５】
まず、図１８を用いて第１ケーブル１９ａで伝搬される信号の詳細について説明する。図１８は、第１ケーブル１９ａで伝搬される信号の詳細を説明するための図である。図１８に示すように、第１ケーブル１９ａは、第１駆動信号配線群の一例としての第１配線群８１と、第１診断信号配線群の一例としての第２配線群８２と、第２駆動信号配線群の一例としての第３配線群８３とを含む。第１配線群８１は、第１配線接触群９１を介して、プリントヘッド２１と電気的に接触する。また、第２配線群８２は、第２配線接触群９２を介して、プリントヘッド２１と電気的に接触する。また、第３配線群８３は、第３配線接触群９３を介して、プリントヘッド２１と電気的に接触する。ここで、第１配線群８１とプリントヘッド２１とが電気的に接触する第１配線接触群９１が第１駆動信号接触群の一例であり、第３配線群８３とプリントヘッド２１とが電気的に接触する第３配線接触群９３が第２駆動信号接触群の一例である。
【０１４６】
第１配線群８１は、配線１９７ａ−２４〜１９７ａ−２９を含む。また、第１配線接触
群９１は、接触部１８０ａ−２４〜１８０ａ−２９を含む。配線１９７ａ−２５には、ノズル列Ｌ１に含まれる圧電素子６０の一端に供給される駆動信号ＣＯＭＡ１が伝搬される。そして、駆動信号ＣＯＭＡ１は、接触部１８０ａ−２５を介してプリントヘッド２１に供給される。配線１９７ａ−２４には、ノズル列Ｌ１に含まれる圧電素子６０の他端に供給される基準電圧信号ＣＧＮＤ１が伝搬される。そして、基準電圧信号ＣＧＮＤ１は、接触部１８０ａ−２４を介してプリントヘッド２１に供給される。配線１９７ａ−２７には、ノズル列Ｌ２に含まれる圧電素子６０の一端に供給される駆動信号ＣＯＭＢ２が伝搬される。そして、駆動信号ＣＯＭＢ２は、接触部１８０ａ−２７を介してプリントヘッド２１に供給される。配線１９７ａ−２６には、ノズル列Ｌ２に含まれる圧電素子６０の他端に供給される基準電圧信号ＣＧＮＤ２が伝搬される。そして、基準電圧信号ＣＧＮＤ２は、接触部１８０ａ−２６を介してプリントヘッド２１に供給される。配線１９７ａ−２９には、ノズル列Ｌ３に含まれる圧電素子６０の一端に供給される駆動信号ＣＯＭＡ３が伝搬される。そして、駆動信号ＣＯＭＡ３は、接触部１８０ａ−２９を介してプリントヘッド２１に供給される。配線１９７ａ−２８には、ノズル列Ｌ３に含まれる圧電素子６０の他端に供給される基準電圧信号ＣＧＮＤ３が伝搬される。そして、基準電圧信号ＣＧＮＤ３は、接触部１８０ａ−２８を介してプリントヘッド２１に供給される。
【０１４７】
以上のように、第１配線群８１は、プリントヘッド２１からインクを吐出させるための駆動信号ＣＯＭＡ及び駆動信号ＣＯＭＢの少なくともいずれか一方を伝搬する。そして、第１配線群８１で伝搬された駆動信号ＣＯＭＡ及び駆動信号ＣＯＭＢの少なくともいずれか一方の信号は、第１配線接触群９１を介してプリントヘッド２１に供給される。
【０１４８】
このような第１配線群８１は、第１ケーブル１９ａにおいて、互いに隣り合う配線で構成される。すなわち、第１配線群８１とは、プリントヘッド２１に含まれる複数の圧電素子６０を駆動するための高電圧の信号である駆動信号ＣＯＭＡ及び駆動信号ＣＯＭＢの少なくともいずれか一方を伝搬する配線を含む複数の配線の集まりである。そして、第１配線群８１に含まれる複数の配線は、第１ケーブル１９ａにおいて、互いに隣り合って設けられている。
【０１４９】
また、同様に、第１配線接触群９１とは、第１配線群８１とプリントヘッド２１とが電気的に接触し、プリントヘッド２１に含まれる複数の圧電素子６０を駆動するための高電圧の信号である駆動信号ＣＯＭＡ及び駆動信号ＣＯＭＢの少なくともいずれか一方をプリントヘッド２１に供給するための複数の接触部の集まりである。そして、第１配線接触群９１に含まれる複数の接触部は、第１ケーブル１９ａと第１コネクター３５０とが電気的に接触する複数の接触部において、互いに隣り合って設けられている。
【０１５０】
以上のように構成された第１配線群８１を含む第１ケーブル１９ａが第１配線接触群９１を介して第１コネクター３５０に取付けられた場合、第１ケーブル１９ａの端子１９６ａ−２４〜１９６ａ−２９のそれぞれが、接触部１８０ａ−２４〜１８０ａ−２９を介して第１コネクター３５０の端子３５３−２４〜３５３−２９のそれぞれと電気的に接続される。これにより、配線１９７ａ−２４〜１９７ａ−２９で伝搬される駆動信号ＣＯＭＡ１，ＣＯＭＢ２，ＣＯＭＡ３、基準電圧信号ＣＧＮＤ１，ＣＧＮＤ２，ＣＧＮＤ３のそれぞれが、プリントヘッド２１に供給される。
【０１５１】
第３配線群８３は、配線１９７ａ−１〜１９７ａ−６を含む。また、第３配線接触群９３は、接触部１８０ａ−１〜１８０ａ−６を含む。配線１９７ａ−６には、ノズル列Ｌ１に含まれる圧電素子６０の一端に供給される駆動信号ＣＯＭＢ１が伝搬される。そして、駆動信号ＣＯＭＢ１は、接触部１８０ａ−６を介してプリントヘッド２１に供給される。配線１９７ａ−５には、ノズル列Ｌ１に含まれる圧電素子６０の他端に供給される基準電圧信号ＣＧＮＤ１が伝搬される。そして、基準電圧信号ＣＧＮＤ１は、接触部１８０ａ−
５を介してプリントヘッド２１に供給される。配線１９７ａ−４には、ノズル列Ｌ２に含まれる圧電素子６０の一端に供給される駆動信号ＣＯＭＡ２が伝搬される。そして、駆動信号ＣＯＭＡ２は、接触部１８０ａ−４を介してプリントヘッド２１に供給される。配線１９７ａ−３には、ノズル列Ｌ２に含まれる圧電素子６０の他端に供給される基準電圧信号ＣＧＮＤ２が伝搬される。そして、基準電圧信号ＣＧＮＤ２は、接触部１８０ａ−３を介してプリントヘッド２１に供給される。配線１９７ａ−２には、ノズル列Ｌ３に含まれる圧電素子６０の一端に供給される駆動信号ＣＯＭＢ３が伝搬される。そして、駆動信号ＣＯＭＢ３は、接触部１８０ａ−２を介してプリントヘッド２１に供給される。配線１９７ａ−１には、ノズル列Ｌ３に含まれる圧電素子６０の他端に供給される基準電圧信号ＣＧＮＤ３が伝搬される。そして、基準電圧信号ＣＧＮＤ３は、接触部１８０ａ−１を介してプリントヘッド２１に供給される。
【０１５２】
以上のように、第３配線群８３は、プリントヘッド２１からインクを吐出させるための駆動信号ＣＯＭＡ及び駆動信号ＣＯＭＢの少なくともいずれか一方を伝搬する。そして、第３配線群８３で伝搬された駆動信号ＣＯＭＡ及び駆動信号ＣＯＭＢの少なくともいずれか一方の信号は、第３配線接触群９３を介してプリントヘッド２１に供給される。
【０１５３】
このような第３配線群８３は、第１ケーブル１９ａにおいて、互いに隣り合う配線で構成される。すなわち、第３配線群８３とは、プリントヘッド２１に含まれる複数の圧電素子６０を駆動するための高電圧の信号である駆動信号ＣＯＭＡ及び駆動信号ＣＯＭＢの少なくともいずれか一方を伝搬する配線を含む複数の配線の集まりである。そして、第３配線群８３に含まれる複数の配線は、第１ケーブル１９ａにおいて、互いに隣り合って設けられている。
【０１５４】
また、同様に、第３配線接触群９３とは、第３配線群８３とプリントヘッド２１とが電気的に接触し、プリントヘッド２１に含まれる複数の圧電素子６０を駆動するための高電圧の信号である駆動信号ＣＯＭＡ及び駆動信号ＣＯＭＢの少なくともいずれか一方をプリントヘッド２１に供給するための複数の接触部の集まりである。そして、第３配線接触群９３に含まれる複数の接触部は、第１ケーブル１９ａと第１コネクター３５０とが電気的に接触する複数の接触部において、互いに隣り合って設けられている。
【０１５５】
以上のように構成された第３配線群８３を含む第１ケーブル１９ａが第３配線接触群９３を介して第１コネクター３５０に取付けられた場合、第１ケーブル１９ａの端子１９６ａ−１〜１９６ａ−６のそれぞれが、接触部１８０ａ−１〜１８０ａ−６を介して第１コネクター３５０の端子３５３−１〜３５３−６のそれぞれと電気的に接続される。これにより、配線１９７ａ−１〜１９７ａ−６で伝搬される駆動信号ＣＯＭＢ１，ＣＯＭＡ２，ＣＯＭＢ３、基準電圧信号ＣＧＮＤ１，ＣＧＮＤ２，ＣＧＮＤ３のそれぞれが、プリントヘッド２１に供給される。
【０１５６】
ここで、第１配線群８１に含まれる、駆動信号ＣＯＭＡ１，ＣＯＭＡ３を伝搬する配線１９７ａ−２５，１９７ａ−２９のそれぞれが第１駆動信号伝搬配線の一例であり、第３配線群８３に含まれる、駆動信号ＣＯＭＢ１，ＣＯＭＢ３を伝搬する配線１９７ａ−６，１９７ａ−２が第２駆動信号伝搬配線の一例である。また、第１配線群８１に含まれる、駆動信号ＣＯＭＢ２を伝搬する配線１９７ａ−２７が第１駆動信号伝搬配線の他の一例であり、第３配線群８３に含まれる、駆動信号ＣＯＭＡ２を伝搬する配線１９７ａ−４が第２駆動信号伝搬配線の他の一例である。
【０１５７】
第２配線群８２は、配線１９７ａ−７〜１９７ａ−２２を含む。また、第２配線接触群９２は、接触部１８０ａ―７〜１８０ａ−２２を含む。ラッチ信号ＬＡＴと第１診断信号ＤＩＧ１とは異なる配線で伝搬されてもよいが、図１８に示すように、ラッチ信号ＬＡＴ
とプリントヘッド２１の自己診断を行うための第１診断信号ＤＩＧ１とが、共通の配線１９７ａ−２１で伝搬されることが好ましい。換言すれば、配線１９７ａ−２１は、第１診断信号ＤＩＧ１を伝搬する配線と、ラッチ信号ＬＡＴを伝搬する配線とを兼ねることが好ましい。非印刷状態において、ラッチ信号ＬＡＴは配線１９７ａ−２１で伝搬されない。一方、プリントヘッド２１の自己診断は非印刷状態に実施されるため、第１診断信号ＤＩＧ１は、非印刷状態において配線１９７ａ−２１で伝搬される。このため、ラッチ信号ＬＡＴと第１診断信号ＤＩＧ１とを共通の配線１９７ａ−２１で伝搬することが可能であり、これにより、第１ケーブル１９ａに含まれる配線の数を少なくすることが可能となる。
【０１５８】
また同様に、図１８に示すように、ラッチ信号ＬＡＴを伝搬する配線とプリントヘッド２１の自己診断を行うための第１診断信号ＤＩＧ１が伝搬される配線とが、共通の接触部１８０ａ−２１と電気的に接触することが好ましい。換言すれば、接触部１８０ａ−２１は、第１診断信号ＤＩＧ１を伝搬する配線と電気的に接触する接触部と、ラッチ信号ＬＡＴを伝搬する配線と電気的に接触する接触部とを兼ねることが好ましい。非印刷状態において、ラッチ信号ＬＡＴは配線１９７ａ−２１で伝搬されない。したがって、接触部１８０ａ−２１にラッチ信号ＬＡＴは供給されない。一方、プリントヘッド２１の自己診断は非印刷状態に実施されるため、第１診断信号ＤＩＧ１は、非印刷状態において接触部１８０ａ−２１に供給される。このため、ラッチ信号ＬＡＴと第１診断信号ＤＩＧ１とを共通の接触部１８０ａ−２１を介してプリントヘッド２１に供給することが可能であり、これにより、第１ケーブル１９ａとプリントヘッド２１とが電気的接触する接触部の数を少なくすることが可能となる。よって、第１ケーブル１９ａに含まれる配線の数、及び第１コネクター３５０の端子数を少なくすることが可能となる。
【０１５９】
さらに、ラッチ信号ＬＡＴは、液体吐出装置１においてインクの吐出タイミングを制御するための重要な信号であり、ラッチ信号ＬＡＴが伝搬される配線、及び接触部で接続不良が生じた場合、インクの吐出精度が悪化するおそれがある。第１診断信号ＤＩＧ１とラッチ信号ＬＡＴとを共通の配線１９７ａ−２１で伝搬し、共通の接触部１８０ａ−２１を介してプリントヘッド２１に供給することで、プリントヘッド２１の自己診断の結果に基づいて、ラッチ信号ＬＡＴが伝搬される配線１９７ａ−２１の接続状態、及び接触部１８０ａ−２１の接触状態が確認できる。すなわち、第１診断信号ＤＩＧ１によるプリントヘッド２１の自己診断を行うことで、液体吐出装置１のインクの吐出精度が悪化するおそれを低減することもできる。この第１診断信号ＤＩＧ１が伝搬される配線１９７ａ−２１が第１診断信号伝搬配線の一例であり、接触部１８０ａ−２１が第１接触部の一例である。
【０１６０】
チェンジ信号ＣＨ１と第２診断信号ＤＩＧ２とは異なる配線で伝搬されていてもよいが、図１８に示すように、チェンジ信号ＣＨ１とプリントヘッド２１の自己診断を行うための第２診断信号ＤＩＧ２とが、共通の配線１９７ａ−１７で伝搬されることが好ましい。換言すれば、配線１９７ａ−１７は、第２診断信号ＤＩＧ２を伝搬する配線と、チェンジ信号ＣＨ１を伝搬する配線とを兼ねることが好ましい。非印刷状態において、チェンジ信号ＣＨ１は配線１９７ａ−１７で伝搬されない。一方、プリントヘッド２１の自己診断は非印刷状態に実施されるため、第２診断信号ＤＩＧ２は、非印刷状態において配線１９７ａ−１７で伝搬される。このため、チェンジ信号ＣＨ１と第２診断信号ＤＩＧ２とを共通の配線１９７ａ−１７で伝搬することが可能であり、これにより、第１ケーブル１９ａに含まれる配線の数を少なくすることが可能となる。
【０１６１】
また同様に、図１８に示すように、チェンジ信号ＣＨ１を伝搬する配線とプリントヘッド２１の自己診断を行うための第２診断信号ＤＩＧ２が伝搬される配線とが、共通の接触部１８０ａ−１７で電気的に接触することが好ましい。換言すれば、接触部１８０ａ−１７は、第２診断信号ＤＩＧ２を伝搬する配線と電気的に接触する接触部と、チェンジ信号ＣＨ１を伝搬する配線と電気的に接触する接触部とを兼ねることが好ましい。非印刷状態
において、チェンジ信号ＣＨ１は配線１９７ａ−１７で伝搬されない。したがって、接触部１８０ａ−１７にチェンジ信号ＣＨ１は供給されない。一方、プリントヘッド２１の自己診断は非印刷状態に実施されるため、第２診断信号ＤＩＧ２は、非印刷状態において接触部１８０ａ−１７に供給される。このため、チェンジ信号ＣＨ１と第２診断信号ＤＩＧ２とを共通の接触部１８０ａ−１７を介してプリントヘッド２１に供給することが可能であり、これにより、第１ケーブル１９ａとプリントヘッド２１とが電気的接触する接触部の数を少なくすることが可能となる。よって、第１ケーブル１９ａに含まれる配線の数、及び第１コネクター３５０の端子数を少なくすることが可能となる。
【０１６２】
さらに、チェンジ信号ＣＨ１は、液体吐出装置１において駆動信号ＣＯＭＡの波形切替タイミングを規定するための重要な信号であり、チェンジ信号ＣＨ１が伝搬される配線、及び接触部で接続不良が生じた場合、インクの吐出精度が悪化するおそれがある。第２診断信号ＤＩＧ２とチェンジ信号ＣＨ１とを共通の配線１９７ａ−１７で伝搬し、共通の接触部１８０ａ―１７を介してプリントヘッド２１に供給することで、プリントヘッド２１の自己診断の結果に基づいて、チェンジ信号ＣＨ１が伝搬される配線１９７ａ−１７の接続状態、及び接触部１８０ａ−１７の接触状態が確認できる。したがって、第２診断信号ＤＩＧ２によるプリントヘッド２１の自己診断の結果に基づいて、液体吐出装置１のインクの吐出精度が悪化するおそれを低減することができる。この第２診断信号ＤＩＧ２が伝搬される配線１９７ａ−１７が第２診断信号伝搬配線の一例であり、接触部１８０ａ―１７が第２接触部の一例である。
【０１６３】
配線１９７ａ−１９には、駆動信号ＣＯＭＢに含まれる台形波形Ｂｄｐ１と台形波形Ｂｄｐ２との波形切替タイミングを規定するチェンジ信号ＣＨ２が伝搬される。そして、チェンジ信号ＣＨ２は、接触部１８０ａ−１９を介してプリントヘッド２１に供給される。なお、第２診断信号ＤＩＧ２は、チェンジ信号ＣＨ２が伝搬される配線１９７ａ−１９で伝搬されて、接触部１８０ａ−１９を介してプリントヘッド２１に供給されても良い。
【０１６４】
印刷データ信号ＳＩ１と第３診断信号ＤＩＧ３とは異なる配線で伝搬されていてもよいが、図１８に示すように、印刷データ信号ＳＩ１とプリントヘッド２１の自己診断を行うための第３診断信号ＤＩＧ３とが、共通の配線１９７ａ−１４で伝搬されることが好ましい。換言すれば、配線１９７ａ−１４は、第３診断信号ＤＩＧ３を伝搬する配線と、印刷データ信号ＳＩ１を伝搬する配線とを兼ねることが好ましい。非印刷状態において、印刷データ信号ＳＩ１は配線１９７ａ−１４で伝搬されない。一方、プリントヘッド２１の自己診断は非印刷状態に実施されるため、第３診断信号ＤＩＧ３は、非印刷状態において配線１９７ａ−１４で伝搬される。このため、印刷データ信号ＳＩ１と第３診断信号ＤＩＧ３とを共通の配線１９７ａ−１４で伝搬することが可能であり、これにより、第１ケーブル１９ａに含まれる配線の数を少なくすることが可能となる。
【０１６５】
また同様に、図１８に示すように、印刷データ信号ＳＩ１を伝搬する配線とプリントヘッド２１の自己診断を行うための第３診断信号ＤＩＧ３が伝搬される配線とが、共通の接触部１８０ａ−１４と電気的に接触することが好ましい。換言すれば、接触部１８０ａ−１４は、第３診断信号ＤＩＧ３を伝搬する配線と電気的に接触する接触部と、印刷データ信号ＳＩ１を伝搬する配線と電気的に接触する接触部とを兼ねることが好ましい。非印刷状態において、印刷データ信号ＳＩ１は配線１９７ａ−１４で伝搬されない。したがって、接触部１８０ａ−１４に印刷データ信号ＳＩ１は供給されない。一方、プリントヘッド２１の自己診断は非印刷状態に実施されるため、第３診断信号ＤＩＧ３は、非印刷状態において接触部１８０ａ−１４に供給される。このため、印刷データ信号ＳＩ１と第３診断信号ＤＩＧ３とを共通の接触部１８０ａ−１４を介してプリントヘッド２１に供給することが可能であり、これにより、第１ケーブル１９ａとプリントヘッド２１とが電気的接触する接触部の数を少なくすることが可能となる。よって、第１ケーブル１９ａに含まれる
配線の数、及び第１コネクター３５０の端子数を少なくすることが可能となる。
【０１６６】
さらに、印刷データ信号ＳＩ１は、液体吐出装置１において駆動信号ＣＯＭＡ１，ＣＯＭＢ１の波形選択を規定する重要な信号であり、印刷データ信号ＳＩ１が伝搬される配線、及び接触部で接続不良が生じた場合、インクの吐出精度が悪化するおそれがある。第３診断信号ＤＩＧ３と印刷データ信号ＳＩ１とを共通の配線１９７ａ−１４で伝搬し、共通の接触部１８０ａ−１４を介してプリントヘッド２１に供給することで、プリントヘッド２１の自己診断の結果に基づいて、印刷データ信号ＳＩ１が伝搬される配線１９７ａ−１４の接続状態、及び接触部１８０ａ−１４の接触状態が確認できる。したがって、第３診断信号ＤＩＧ３によるプリントヘッド２１の自己診断の結果に基づいて、液体吐出装置１のインクの吐出精度が悪化するおそれを低減することができる。この第３診断信号ＤＩＧ３が伝搬される配線１９７ａ−１４が第３診断信号伝搬配線の一例であり、接触部１８０ａ−１４が第３接触部の一例である。
【０１６７】
配線１９７ａ−８には、ノズル列Ｌ２に供給される駆動信号ＣＯＭＡ２，ＣＯＭＢ２の波形選択を規定する印刷データ信号ＳＩ２が伝搬される。そして、印刷データ信号ＳＩ２は、接触部１８０ａ−８を介してプリントヘッド２１に供給される。また、配線１９７ａ−１０には、ノズル列Ｌ３に供給される駆動信号ＣＯＭＡ３，ＣＯＭＢ３の波形選択を規定する印刷データ信号ＳＩ３が伝搬される。そして、印刷データ信号ＳＩ３は、接触部１８０ａ−１０を介してプリントヘッド２１に供給される。
【０１６８】
ここで、第３診断信号ＤＩＧ３は、印刷データ信号ＳＩ２が伝搬される配線１９７ａ−８又は印刷データ信号ＳＩ３が伝搬される配線１９７ａ−１０で伝搬されて、対応する接触部１８０ａ−８，１８０ａ−１０を介してプリントヘッド２１に供給されても良い。具体的には、第３診断信号ＤＩＧ３は、黒色のインクが吐出されるノズル列に対応する印刷データ信号が伝搬される配線と兼ねる、若しくは、当該配線と共通の接触部に供給されることが好ましい。換言すれば、第３診断信号ＤＩＧ３が伝搬される配線、及び第３診断信号ＤＩＧ３が供給される接触部は、黒色の液体が吐出されるノズル６５１を含むノズル列に対応する駆動信号ＣＯＭＡ及び駆動信号ＣＯＭＢの波形選択を規定する信号が伝搬される配線、若しくは供給される接触部と兼ねることが好ましい。黒色のインクは、液体吐出装置１において、最も汎用的に用いられるインクの一つである。そのため、第３診断信号ＤＩＧ３が伝搬される配線と、黒色のインクが吐出されるノズル列に対応する印刷データ信号が伝搬される配線とを兼ね、共通の接触部でプリントヘッド２１と電気的に接触することで、プリントヘッド２１において、インクが吐出されるノズル列の数が異なる場合であってもプリントヘッド２１の自己診断機能を行うことが可能となる。ここで、黒色のインクとは、ブラックに限らず、マットブラックやフォトブラックであってもよい。
【０１６９】
配線１９７ａ−１６には、プリントヘッド２１の温度情報を含むアナログ信号である温度信号ＴＨが伝搬される。温度信号ＴＨは、接触部１８０ａ−１６を介して配線１９７ａ−１６に供給される。
【０１７０】
配線１９７ａ−７，１９７ａ−９，１９７ａ−１１〜１９７ａ−１３，１９７ａ−１５，１９７ａ−１８，１９７ａ−２０，１９７ａ−２２には、グラウンド信号ＧＮＤが伝搬される。そして、グラウンド信号ＧＮＤは、接触部１８０ａ−７，１８０ａ−９，１８０ａ−１１〜１８０ａ−１３，１８０ａ−１５，１８０ａ−１８，１８０ａ−２０，１８０ａ−２２を介してプリントヘッド２１に供給される。
【０１７１】
図１８に示すように、グラウンド信号ＧＮＤが伝搬される配線のうち配線１９７ａ−２２は、配線１９７ａ−２１、配線１９７ａ−１７及び配線１９７ａ−１４と、第１配線群８１との間に設けられている。また、配線１９７ａ−７は、配線１９７ａ−２１、配線１
９７ａ−１７及び配線１９７ａ−１４と、第３配線群８３との間に設けられている。換言すれば、グラウンド信号ＧＮＤが伝搬される配線のうち配線１９７ａ−２２は、配線１９７ａ−２１、配線１９７ａ−１７及び配線１９７ａ−１４よりも第１配線群８１側に位置し、配線１９７ａ−７は、配線１９７ａ−２１、配線１９７ａ−１７及び配線１９７ａ−１４よりも、第３配線群８３側に位置する。これにより、駆動信号ＣＯＭＡ，ＣＯＭＢが第１診断信号ＤＩＧ１、第２診断信号ＤＩＧ２、第３診断信号ＤＩＧ３に干渉するおそれが低減される。よって、第１診断信号ＤＩＧ１、第２診断信号ＤＩＧ２、第３診断信号ＤＩＧ３は、プリントヘッド２１に精度よく供給される。したがって、プリントヘッド２１の自己診断機能が正常に動作しないおそれを低減することができる。ここで、グラウンド信号ＧＮＤが伝搬される配線１９７ａ−２２が第１グラウンド信号伝搬配線の一例であり、配線１９７ａ−７が第２グラウンド信号伝搬配線の一例である。
【０１７２】
また、同様に、グラウンド信号ＧＮＤをプリントヘッド２１に供給する接触部のうち接触部１８０ａ−２２は、接触部１８０ａ−２１、接触部１８０ａ−１７及び接触部１８０ａ−１４と、第１配線接触群９１との間に設けられている。また、接触部１８０ａ−７は、接触部１８０ａ−２１、接触部１８０ａ−１７及び接触部１８０ａ−１４と、第３配線接触群９３との間に設けられている。換言すれば、グラウンド信号ＧＮＤをプリントヘッド２１に供給する接触部のうち接触部１８０ａ−２２は、接触部１８０ａ−２１、接触部１８０ａ−１７及び接触部１８０ａ−１４よりも第１配線接触群９１側に位置し、接触部１８０ａ−７は、接触部１８０ａ−２１、接触部１８０ａ−１７及び接触部１８０ａ−１４よりも、第３配線接触群９３側に位置する。これにより、駆動信号ＣＯＭＡ，ＣＯＭＢが第１診断信号ＤＩＧ１、第２診断信号ＤＩＧ２、第３診断信号ＤＩＧ３に干渉するおそれが低減される。よって、第１診断信号ＤＩＧ１、第２診断信号ＤＩＧ２、第３診断信号ＤＩＧ３は、プリントヘッド２１に精度よく供給される。したがって、プリントヘッド２１の自己診断機能が正常に動作しないおそれを低減することができる。ここで、グラウンド信号ＧＮＤが伝搬される配線とプリントヘッド２１とが電気的に接触する接触部１８０ａ−２２が第６接触部の一例であり、接触部１８０ａ−７が第７接触部の一例である。
【０１７３】
また、第１ケーブル１９ａにおいて、配線１９７ａ−１７は、配線１９７ａ−２１と配線１９７ａ−１４との間に設けられている。この場合において、グラウンド信号を伝搬する配線１９７ａ−１８，１９７ａ−２０は、配線１９７ａ−２１と配線１９７ａ−１７との間に設けられ、グラウンド信号を伝搬する配線１９７ａ−１５は、配線１９７ａ−１７と配線１９７ａ−１４との間に設けられている。すなわち、第１診断信号ＤＩＧ１、第２診断信号ＤＩＧ２及び第３診断信号ＤＩＧ３のそれぞれが伝搬される配線１９７ａ−２１，１９７ａ−１７，１９７ａ−１４は、互いに隣り合わないように位置し、さらには、配線１９７ａ−２１，１９７ａ−１７，１９７ａ−１４のそれぞれの間には、グラウンド信号ＧＮＤが伝搬される配線が設けられている。これにより、第１診断信号ＤＩＧ１、第２診断信号ＤＩＧ２及び第３診断信号ＤＩＧ３のそれぞれが、互い干渉するおそれが低減される。よって、第１診断信号ＤＩＧ１、第２診断信号ＤＩＧ２、第３診断信号ＤＩＧ３は、プリントヘッド２１に精度よく供給される。したがって、プリントヘッド２１の自己診断機能が正常に動作しないおそれを低減することができる。ここで、配線１９７ａ―１８及び１９７ａ―２０の少なくともいずれかが、第５グラウンド信号伝搬配線の一例であり、配線１９７ａ―１５が、第６グラウンド信号伝搬配線の一例である。
【０１７４】
また、同様に第１ケーブル１９ａとプリントヘッド２１とを電気的に接触する接触部において、接触部１８０ａ−１７は、接触部１８０ａ−２１と接触部１８０ａ−１４との間に設けられている。この場合において、接触部１８０ａ−１８，１８０ａ−２０は、接触部１８０ａ−２１と接触部１８０ａ−１７との間に設けられ、接触部１８０ａ−１５は、接触部１８０ａ−１７と接触部１８０ａ−１４との間に設けられている。すなわち、第１診断信号ＤＩＧ１、第２診断信号ＤＩＧ２及び第３診断信号ＤＩＧ３のそれぞれがプリン
トヘッド２１に供給される接触部１８０ａ−２１，１８０ａ−１７，１８０ａ−１４は、互いに隣り合わないように位置し、さらには、接触部１８０ａ−２１，１８０ａ−１７，１８０ａ−１４のそれぞれの間には、グラウンド信号ＧＮＤがプリントヘッド２１に供給される接触部が設けられている。これにより、第１診断信号ＤＩＧ１、第２診断信号ＤＩＧ２及び第３診断信号ＤＩＧ３のそれぞれが、互い干渉するおそれが低減される。よって、第１診断信号ＤＩＧ１、第２診断信号ＤＩＧ２、第３診断信号ＤＩＧ３は、プリントヘッド２１に精度よく供給される。したがって、プリントヘッド２１の自己診断機能が正常に動作しないおそれを低減することができる。ここで、接触部１８０ａ―１８及び１８０ａ―２０の少なくともいずれかが、第１０接触部の一例であり、接触部１８０ａ―１５が、第１１接触部の一例である。
【０１７５】
以上に説明したように、第２配線群８２は、少なくともプリントヘッド２１の自己診断を行うための第１診断信号ＤＩＧ１を伝搬する配線１９７ａ−２１と、第２診断信号ＤＩＧ２を伝搬する配線１９７ａ−１７と、第３診断信号ＤＩＧ３を伝搬する配線１９７ａ−１４とを含む。このような第２配線群８２は、第１ケーブル１９ａにおいて、互いに隣り合う配線で構成されている。すなわち、第２配線群８２とは、プリントヘッド２１の自己診断を行うための低電圧の信号である第１診断信号ＤＩＧ１、第２診断信号ＤＩＧ２及び第３診断信号ＤＩＧ３を伝搬する配線を含む複数の配線の集まりである。そして、第２配線群８２に含まれる複数の配線は、第１ケーブル１９ａにおいて、互いに隣り合って設けられている。なお、第２配線群８２には、印刷データ信号ＳＩ１〜ＳＩ３、チェンジ信号ＣＨ１，ＣＨ２、ラッチ信号ＬＡＴ及びグラウンド信号ＧＮＤ等のプリントヘッド２１を制御するための低電圧の信号が伝搬される複数の配線やグラウンド信号ＧＮＤが伝搬される配線が含まれていてもよい。
【０１７６】
また、同様に、第２配線接触群９２は、少なくともプリントヘッド２１の自己診断を行うための第１診断信号ＤＩＧ１を伝搬する配線１９７ａ−２１とプリントヘッド２１とが電気的に接触する接触部１８０ａ−２１と、第２診断信号ＤＩＧ２を伝搬する配線１９７ａ−１７とプリントヘッド２１とが電気的に接触する接触部１８０ａ−１７と、第３診断信号ＤＩＧ３を伝搬する配線１９７ａ−１４とプリントヘッド２１とが電気的に接触する接触部１８０ａ−１４と、を含む。このような第２配線接触群９２は、互いに隣り合う接触部で構成されている。すなわち、第２配線接触群９２とは、プリントヘッド２１の自己診断を行うための低電圧の信号である第１診断信号ＤＩＧ１、第２診断信号ＤＩＧ２及び第３診断信号ＤＩＧ３をプリントヘッド２１に供給するための複数の接触部の集まりである。そして、当該複数の接触部は、互いに隣り合って設けられる。なお、第２配線接触群９２には、印刷データ信号ＳＩ１〜ＳＩ３、チェンジ信号ＣＨ１，ＣＨ２、ラッチ信号ＬＡＴ及びグラウンド信号ＧＮＤ等のプリントヘッド２１を制御するための低電圧の信号が伝搬される複数の配線やグラウンド信号ＧＮＤをプリントヘッド２１に供給するための接触群が含まれていてもよい。
【０１７７】
以上のように構成された第２配線群８２を含む第１ケーブル１９ａが第２配線接触群９２を介して第１コネクター３５０に取付けられた場合、第１ケーブル１９ａの端子１９６ａ−７〜１９６ａ−２２のそれぞれが、接触部１８０ａ−７〜１８０ａ−２２を介して第１コネクター３５０の端子３５３−７〜３５３−２２のそれぞれと電気的に接続される。これにより、配線１９７ａ−７〜１９７ａ−２２で伝搬される第１診断信号ＤＩＧ１、第２診断信号ＤＩＧ２及び第３診断信号ＤＩＧ３を含む複数の信号が、プリントヘッド２１に供給される。すなわち、プリントヘッド２１において、第１診断信号ＤＩＧ１が入力される端子３５３−２１が第１接続点の一例であり、第２診断信号ＤＩＧ２が入力される端子３５３−１７が第２接続点の一例であり、第３診断信号ＤＩＧ３が入力される端子３５３−１４が第３接続点の一例である。また、第１ケーブル１９ａとプリントヘッド２１とを電気的に接続する第１配線接触群９１、第２配線接触群９２、及び第３配線接触群９３
を含む接触群９７が第１接触群の一例である。
【０１７８】
また、第１ケーブル１９ａにおいて、第２配線群８２は、第１配線群８１と第３配線群８３との間に設けられている。これにより、第１ケーブル１９ａの外部で生じたノイズは、第１配線群８１及び第３配線群８３でシールドされ、当該ノイズが第２配線群８２に重畳する可能性が低減される。同様に、接触群９７において、第２配線接触群９２は、第１配線接触群９１と第３配線接触群９３との間に設けられている。これにより、接触群９７の近傍で生じたノイズは、第１配線接触群９１及び第３配線接触群９３でシールドされ、当該ノイズが第２配線接触群９２に重畳する可能性が低減される。よって、第２配線群８２で伝搬され、第２配線接触群９２を介してプリントヘッド２１に供給される第１診断信号ＤＩＧ１，第２診断信号ＤＩＧ２，及び第３診断信号ＤＩＧ３は、プリントヘッド２１に精度よく供給される。したがって、プリントヘッド２１の自己診断機能が正常に動作しないおそれを低減することができる。
【０１７９】
また、第１ケーブル１９ａは、高電圧信号ＶＨＶを伝搬する配線１９７ａ−２３を含む。そして、高電圧信号ＶＨＶは、接触部１８０ａ−２３を介してプリントヘッド２１に供給される。この配線１９７ａ−２３は、第１配線群８１と第２配線群８２との間に位置し、接触部１８０ａ−２３は、第１配線接触群９１と第２配線接触群９２との間に位置する。これにより、第２配線群８２、及び第２配線接触群９２にノイズが重畳する可能性がさらに低減される。なお、高電圧信号ＶＨＶを伝搬する配線は、第２配線群８２と第３配線群８３との間に設けられていてもよく、高電圧信号ＶＨＶをプリントヘッド２１に供給する接触部は、第２配線接触群９２と第３配線接触群９３との間に設けられていてもよい。
【０１８０】
次に、図１９を用いて第２ケーブル１９ｂで伝搬される信号の詳細について説明する。図１９は、第２ケーブル１９ｂで伝搬される信号の詳細を説明するための図である。図１９に示すように、第２ケーブル１９ｂは、第３駆動信号配線群の一例としての第４配線群８４と、第２診断信号配線群の一例としての第５配線群８５と、第４駆動信号配線群の一例としての第６配線群８６とを備える。そして、第４配線群８４は、第４配線接触群９４を介して、プリントヘッド２１と電気的に接触する。また、第５配線群８５は、第５配線接触群９５を介して、プリントヘッド２１と電気的に接触する。また、第６配線群８６は、第６配線接触群９６を介して、プリントヘッド２１と電気的に接触する。ここで、第４配線群８４とプリントヘッド２１とが電気的に接触する第４配線接触群９４が第３駆動信号接触群の一例であり、第６配線群８６とプリントヘッド２１とが電気的に接触する第６配線接触群９６が第４駆動信号接触群の一例である。
【０１８１】
第４配線群８４は、配線１９７ｂ−２４〜１９７ｂ−２９を含む。また、第４配線接触群９４は、接触部１８０ｂ−２４〜１８０ｂ−２９を含む。配線１９７ｂ−２９には、ノズル列Ｌ４に含まれる圧電素子６０の一端に供給される駆動信号ＣＯＭＡ４が伝搬される。そして、駆動信号ＣＯＭＡ４は、接触部１８０ｂ−２９を介してプリントヘッド２１に供給される。配線１９７ｂ−２８には、ノズル列Ｌ４に含まれる圧電素子６０の他端に供給される基準電圧信号ＣＧＮＤ４が伝搬される。そして、基準電圧信号ＣＧＮＤ４は、接触部１８０ｂ−２８を介してプリントヘッド２１に供給される。配線１９７ｂ−２７には、ノズル列Ｌ５に含まれる圧電素子６０の一端に供給される駆動信号ＣＯＭＢ５が伝搬される。そして、駆動信号ＣＯＭＢ５は、接触部１８０ｂ−２７を介してプリントヘッド２１に供給される。配線１９７ｂ−２６には、ノズル列Ｌ５に含まれる圧電素子６０の他端に供給される基準電圧信号ＣＧＮＤ５が伝搬される。そして、基準電圧信号ＣＧＮＤ５は、接触部１８０ｂ−２６を介してプリントヘッド２１に供給される。配線１９７ｂ−２５には、ノズル列Ｌ６に含まれる圧電素子６０の一端に供給される駆動信号ＣＯＭＡ６が伝搬される。そして、駆動信号ＣＯＭＡ６は、接触部１８０ｂ−２５を介してプリントヘッド２１に供給される。配線１９７ｂ−２４には、ノズル列Ｌ６に含まれる圧電素子６０の
他端に供給される基準電圧信号ＣＧＮＤ６が伝搬される。そして、基準電圧信号ＣＧＮＤ６は、接触部１８０ｂ−２４を介してプリントヘッド２１に供給される。
【０１８２】
以上のように、第４配線群８４は、プリントヘッド２１からインクを吐出させるための駆動信号ＣＯＭＡ及び駆動信号ＣＯＭＢの少なくともいずれか一方を伝搬する。そして、第４配線群８４で伝搬された駆動信号ＣＯＭＡ及び駆動信号ＣＯＭＢの少なくともいずれか一方の信号は、第４配線接触群９４を介してプリントヘッド２１に供給される。
【０１８３】
このような第４配線群８４は、第２ケーブル１９ｂにおいて、互いに隣り合う配線で構成される。すなわち、第４配線群８４とは、プリントヘッド２１に含まれる複数の圧電素子６０を駆動するための高電圧の信号である駆動信号ＣＯＭＡ及び駆動信号ＣＯＭＢの少なくともいずれか一方を伝搬する配線を含む複数の配線の集まりである。そして、第４配線群８４に含まれる複数の配線は、第２ケーブル１９ｂにおいて、互いに隣り合って設けられている。
【０１８４】
また、同様に、第４配線接触群９４とは、第４配線群８４とプリントヘッド２１とが電気的に接触し、プリントヘッド２１に含まれる複数の圧電素子６０を駆動するための高電圧の信号である駆動信号ＣＯＭＡ及び駆動信号ＣＯＭＢの少なくともいずれか一方をプリントヘッド２１に供給するための複数の接触部の集まりである。そして、第４配線接触群９４に含まれる複数の接触部は、第２ケーブル１９ｂと第２コネクター３６０とが電気的に接触する複数の接触部１８０において、互いに隣り合って設けられる。
【０１８５】
以上のように構成された第４配線群８４を含む第２ケーブル１９ｂが第４配線接触群９４を介して第２コネクター３６０に取付けられた場合、第２ケーブル１９ｂの端子１９６ｂ−２４〜１９６ｂ−２９のそれぞれが、接触部１８０ｂ−２４〜１８０ｂ−２９を介して第２コネクター３６０の端子３６３−２４〜３６３−２９のそれぞれと電気的に接続される。これにより、配線１９７ｂ−２４〜１９７ｂ−２９で伝搬される駆動信号ＣＯＭＡ４，ＣＯＭＢ５，ＣＯＭＡ６、基準電圧信号ＣＧＮＤ４，ＣＧＮＤ５，ＣＧＮＤ６のそれぞれが、プリントヘッド２１に供給される。
【０１８６】
第６配線群８６は、配線１９７ｂ−１〜１９７ｂ−６を含む。また、第６配線接触群９６は、接触部１８０ｂ−１〜１８０ｂ−６を含む。配線１９７ｂ−２には、ノズル列Ｌ４に含まれる圧電素子６０の一端に供給される駆動信号ＣＯＭＢ４が伝搬される。そして、駆動信号ＣＯＭＢ４は、接触部１８０ｂ−２を介してプリントヘッド２１に供給される。配線１９７ｂ−１には、ノズル列Ｌ４に含まれる圧電素子６０の他端に供給される基準電圧信号ＣＧＮＤ４が伝搬される。そして、基準電圧信号ＣＧＮＤ４は、接触部１８０ｂ−１を介してプリントヘッド２１に供給される。配線１９７ｂ−４には、ノズル列Ｌ５に含まれる圧電素子６０の一端に供給される駆動信号ＣＯＭＡ５が伝搬される。そして、駆動信号ＣＯＭＡ５は、接触部１８０ｂ−４を介してプリントヘッド２１に供給される。配線１９７ｂ−３には、ノズル列Ｌ５に含まれる圧電素子６０の他端に供給される基準電圧信号ＣＧＮＤ５が伝搬される。そして、基準電圧信号ＣＧＮＤ５は、接触部１８０ｂ−３を介してプリントヘッド２１に供給される。配線１９７ｂ−６には、ノズル列Ｌ６に含まれる圧電素子６０の一端に供給される駆動信号ＣＯＭＢ６が伝搬される。そして、駆動信号ＣＯＭＢ６は、接触部１８０ｂ−６を介してプリントヘッド２１に供給される。配線１９７ｂ−５には、ノズル列Ｌ６に含まれる圧電素子６０の他端に供給される基準電圧信号ＣＧＮＤ６が伝搬される。そして、基準電圧信号ＣＧＮＤ６は、接触部１８０ｂ−５を介してプリントヘッド２１に供給される。
【０１８７】
以上のように、第６配線群８６は、プリントヘッド２１からインクを吐出させるための駆動信号ＣＯＭＡ及び駆動信号ＣＯＭＢの少なくともいずれか一方を伝搬する。そして、
第６配線群８６で伝搬された駆動信号ＣＯＭＡ及び駆動信号ＣＯＭＢの少なくともいずれか一方の信号は、第６配線接触群９６を介してプリントヘッド２１に供給される。
【０１８８】
このような第６配線群８６は、第２ケーブル１９ｂにおいて、互いに隣り合う配線で構成される。すなわち、第６配線群８６とは、プリントヘッド２１に含まれる複数の圧電素子６０を駆動するための高電圧の信号である駆動信号ＣＯＭＡ及び駆動信号ＣＯＭＢの少なくともいずれか一方を伝搬する配線を含む複数の配線の集まりである。そして、第６配線群８６に含まれる複数の配線は、第２ケーブル１９ｂにおいて、互いに隣り合って設けられる。
【０１８９】
また、同様に、第６配線接触群９６とは、第６配線群８６とプリントヘッド２１とが電気的に接触し、プリントヘッド２１に含まれる複数の圧電素子６０を駆動するための高電圧の信号である駆動信号ＣＯＭＡ及び駆動信号ＣＯＭＢの少なくともいずれか一方をプリントヘッド２１に供給するための複数の接触部の集まりである。そして、第６配線接触群９６に含まれる複数の接触部は、第２ケーブル１９ｂと第２コネクター３６０とが電気的に接触する複数の接触部１８０において、互いに隣り合って設けられている。
【０１９０】
以上のように構成された第６配線群８６を含む第２ケーブル１９ｂが第６配線接触群９６を介して第２コネクター３６０に取付けられた場合、第２ケーブル１９ｂの端子１９６ｂ−１〜１９６ｂ−６のそれぞれが、接触部１８０ｂ−１〜１８０ｂ−６を介して第２コネクター３６０の端子３６３−１〜３６３−６のそれぞれと電気的に接続される。これにより、配線１９７ｂ−１〜１９７ｂ−６で伝搬される駆動信号ＣＯＭＢ４，ＣＯＭＡ５，ＣＯＭＢ６、基準電圧信号ＣＧＮＤ４，ＣＧＮＤ５，ＣＧＮＤ６のそれぞれが、プリントヘッド２１に供給される。
【０１９１】
第５配線群８５は、配線１９７ｂ−７〜１９７ｂ−２３を含む。また、第５配線接触群９５は、接触部１８０ｂ―７〜１８０ｂ−２３を含む。クロック信号ＳＣＫと第４診断信号ＤＩＧ４とは異なる配線で伝搬されてもよいが、図１９に示すように、プリントヘッド２１に供給される各種信号のタイミングを制御するクロック信号ＳＣＫとプリントヘッド２１の自己診断を行うための第４診断信号ＤＩＧ４とが、共通の配線１９７ｂ−１０で伝搬されることが好ましい。換言すれば、配線１９７ｂ−１０は、第４診断信号ＤＩＧ４を伝搬する配線と、クロック信号ＳＣＫを伝搬する配線とを兼ねることが好ましい。非印刷状態において、印刷データ信号ＳＩが供給されていない場合、クロック信号ＳＣＫは配線１９７ｂ−１０で伝搬されない。一方、プリントヘッド２１の自己診断は非印刷状態に実施されるため、第４診断信号ＤＩＧ４は、非印刷状態において配線１９７ｂ−１０で伝搬される。このため、クロック信号ＳＣＫと第４診断信号ＤＩＧ４とを共通の配線１９７ｂ−１０で伝搬することが可能であり、これにより、第２ケーブル１９ｂに含まれる配線の数を少なくすることが可能となる。
【０１９２】
また同様に、図１９に示すように、クロック信号ＳＣＫを伝搬する配線とプリントヘッド２１の自己診断を行うための第４診断信号ＤＩＧ４が伝搬される配線とが、共通の接触部１８０ｂ−１０と電気的に接触することが好ましい。換言すれば、接触部１８０ｂ−１０は、第４診断信号ＤＩＧ４を伝搬する配線と電気的に接触する接触部と、クロック信号ＳＣＫを伝搬する配線と電気的に接触する接触部とを兼ねることが好ましい。非印刷状態において、クロック信号ＳＣＫは配線１９７ｂ−１０で伝搬されない。したがって、接触部１８０ｂ−１０にクロック信号ＳＣＫは供給されない。一方、プリントヘッド２１の自己診断は非印刷状態に実施されるため、第４診断信号ＤＩＧ４は、非印刷状態において接触部１８０ｂ−１０に供給される。このため、クロック信号ＳＣＫと第４診断信号ＤＩＧ４とを共通の接触部１８０ｂ−１０を介してプリントヘッド２１に供給することが可能であり、これにより、第２ケーブル１９ｂとプリントヘッド２１とが電気的接触する接触部
の数を少なくすることが可能となる。よって、第２ケーブル１９ｂに含まれる配線の数、及び第２コネクター３６０の端子数を少なくすることが可能となる。
【０１９３】
さらに、クロック信号ＳＣＫは、液体吐出装置１においてインクの吐出を制御する各種信号のタイミングを制御するための重要な信号であり、クロック信号ＳＣＫが伝搬される配線、及び接触部で接続不良が生じた場合、インクの吐出精度が悪化するおそれがある。第４診断信号ＤＩＧ４とクロック信号ＳＣＫとを共通の配線１９７ｂ−１０で伝搬し、共通の接触部１８０ｂ−１０を介してプリントヘッド２１に供給することで、プリントヘッド２１の自己診断の結果に基づいて、クロック信号ＳＣＫが伝搬される配線１９７ｂ−１０の接続状態、及び接触部１８０ｂ−１０の接触状態が確認できる。すなわち、第４診断信号ＤＩＧ４によるプリントヘッド２１の自己診断を行うことで、液体吐出装置１のインクの吐出精度が悪化するおそれを低減することもできる。この第４診断信号ＤＩＧ４が伝搬される配線１９７ｂ−１０が第４診断信号伝搬配線の一例であり、接触部１８０ｂ−１０が第４接触部の一例である。
【０１９４】
異常信号ＸＨＯＴと第５診断信号ＤＩＧ５とは異なる配線で伝搬されていてもよいが、図１９に示すように、異常信号ＸＨＯＴとプリントヘッド２１の自己診断を行うための第５診断信号ＤＩＧ５とが、共通の配線１９７ｂ−１６で伝搬されることが好ましい。換言すれば、配線１９７ｂ−１６は、第５診断信号ＤＩＧ５を伝搬する配線と、異常信号ＸＨＯＴを伝搬する配線とを兼ねることが好ましい。異常信号ＸＨＯＴは、プリントヘッド２１に温度異常が生じているか否かに応じて、Ｈレベル又はＬレベルの信号として出力される。換言すれば、異常信号ＸＨＯＴは、印刷状態においてプリントヘッド２１の温度異常の有無を示す信号である。したがって、印刷状態においてプリントヘッド２１の状態を判断する異常信号ＸＨＯＴと、非印刷状態において自己診断によりプリントヘッド２１の状態を判断させる第５診断信号ＤＩＧ５とを、共通の配線１９７ｂ−１６で伝搬することで、制御機構１０における処理の共通化が可能となる。これにより、液体吐出装置１の制御を簡素化することが可能となる。また、異常信号ＸＨＯＴと、第５診断信号ＤＩＧ５とを、共通の配線１９７ｂ−１６で伝搬することで、第２ケーブル１９ｂに含まれる配線の数を少なくすることが可能となる。
【０１９５】
また同様に、異常信号ＸＨＯＴを伝搬する配線と、プリントヘッド２１の自己診断の診断結果を示す第５診断信号ＤＩＧ５を伝搬する配線とは、共通の接触部１８０ｂ−１６で電気的に接触することが好ましい。換言すれば、接触部１８０ｂ−１６は、第５診断信号ＤＩＧ５を伝搬する配線と電気的に接触する接触部と、チェンジ信号ＣＨ１を伝搬する配線と電気的に接触する接触部とを兼ねることが好ましい。異常信号ＸＨＯＴは、プリントヘッド２１に温度異常が生じているか否かに応じて、Ｈレベル又はＬレベルの信号として出力される。換言すれば、異常信号ＸＨＯＴは、印刷状態においてプリントヘッド２１の温度異常の有無を示す信号である。したがって、印刷状態においてプリントヘッド２１の状態を判断する異常信号ＸＨＯＴと、非印刷状態において自己診断によりプリントヘッド２１の状態を判断させる第５診断信号ＤＩＧ５とを、共通の接触部１８０ｂ−１６に供給することで、制御機構１０における処理の共通化が可能となる。これにより、液体吐出装置１の制御を簡素化することが可能となる。また、異常信号ＸＨＯＴと、第５診断信号ＤＩＧ５とを、共通の接触部１８０ｂ−１６に供給することで、第２ケーブル１９ｂに含まれる配線の数、及び第２コネクター３６０に含まれる端子の数を少なくすることが可能となる。
【０１９６】
さらに、異常信号ＸＨＯＴは、液体吐出装置１においてプリントヘッド２１が異常であるか否かを示す重要な信号であり、異常信号ＸＨＯＴが伝搬される配線、及び接触部で接続不良が生じた場合、制御機構１０において、プリントヘッド２１に異常が生じたものと誤検出されるおそれがある。第５診断信号ＤＩＧ５と異常信号ＸＨＯＴとを共通の配線１
９７ｂ−１６で伝搬し、共通の接触部１８０ｂ−１６を介してプリントヘッド２１から供給することで、プリントヘッド２１の自己診断の結果に基づいて、異常信号ＸＨＯＴが伝搬される配線１９７ｂ−１６の接続状態、及び接触部１８０ｂ−１６の接触状態が確認できる。したがって、第５診断信号ＤＩＧ５の診断結果に基づいて、異常信号ＸＨＯＴが誤検出される可能性を低減することができる。この第５診断信号ＤＩＧ５が伝搬される配線１９７ｂ−１６が第５診断信号伝搬配線の一例であり、接触部１８０ｂ−１６が第５接触部の一例である。
【０１９７】
配線１９７ｂ−８には、ノズル列Ｌ４に供給される駆動信号ＣＯＭＡ４，ＣＯＭＢ４の波形選択を規定する印刷データ信号ＳＩ４が伝搬される。そして、印刷データ信号ＳＩ４は、接触部１８０ｂ−８を介してプリントヘッド２１に供給される。また、配線１９７ｂ−１７には、ノズル列Ｌ５に供給される駆動信号ＣＯＭＡ５，ＣＯＭＢ５の波形選択を規定する印刷データ信号ＳＩ５が伝搬される。そして、印刷データ信号ＳＩ５は、接触部１８０ｂ−１７を介してプリントヘッド２１に供給される。また、配線１９７ｂ−２１には、ノズル列Ｌ６に供給される駆動信号ＣＯＭＡ６，ＣＯＭＢ６の波形選択を規定する印刷データ信号ＳＩ６が伝搬される。そして、印刷データ信号ＳＩ６は、接触部１８０ｂ−２１を介してプリントヘッド２１に供給される。
【０１９８】
配線１９７ｂ−１２には、非印刷状態において、駆動信号ＣＯＭＡ又は駆動信号ＣＯＭＢのいずれかを強制的に選択し、駆動信号ＶＯＵＴとして出力するエヌチャージ信号ＮＣＨＧが伝搬される。そして、エヌチャージ信号ＮＣＨＧは、接触部１８０ｂ−１２を介してプリントヘッド２１に供給される。
【０１９９】
配線１９７ｂ−７，１９７ｂ−９，１９７ｂ−１１，１９７ｂ−１４，１９７ｂ−１５，１９７ｂ−１８〜１９７ｂ−２０，１９７ｂ−２２には、グラウンド信号ＧＮＤが伝搬される。そして、グラウンド信号ＧＮＤは、接触部１８０ｂ−７，１８０ｂ−９，１８０ｂ−１１，１８０ｂ−１４，１８０ｂ−１５，１８０ｂ−１８〜１８０ｂ−２０，１８０ｂ−２２を介してプリントヘッドには、２１に供給される。
【０２００】
グラウンド信号ＧＮＤが伝搬される配線のうち配線１９７ｂ−２２は、配線１９７ｂ−１０及び配線１９７ｂ−１６と、第４配線群８４との間に設けられている。また、配線１９７ｂ−７は、配線１９７ｂ−１０及び配線１９７ｂ−１６と、第６配線群８６との間に設けられている。換言すれば、配線１９７ｂ−２２は、配線１９７ｂ−１０及び配線１９７ｂ−１６よりも、第４配線群８４側に位置し、配線１９７ｂ−７は、配線１９７ｂ−１０及び配線１９７ｂ−１６よりも、第６配線群８６側に位置する。これにより、駆動信号ＣＯＭＡ，ＣＯＭＢが第４診断信号ＤＩＧ４、第５診断信号ＤＩＧ５に干渉することを低減することができる。よって、第４診断信号ＤＩＧ４、第５診断信号ＤＩＧ５は、プリントヘッド２１に精度よく供給される。したがって、プリントヘッド２１の自己診断機能が正常に動作しないおそれを低減することができる。ここで、グラウンド信号ＧＮＤが伝搬される配線１９７ｂ−２２が第３グラウンド信号伝搬配線の一例であり、配線１９７ｂ−７が第４グラウンド信号伝搬配線の一例である。
【０２０１】
また同様に、グラウンド信号ＧＮＤをプリントヘッド２１に供給する接触部のうち接触部１８０ｂ−２２は、接触部１８０ｂ−１０及び接触部１８０ｂ−１６と、第４配線接触群９４との間に設けられている。また、接触部１８０ｂ−７は、接触部１８０ｂ−１０及び接触部１８０ｂ−１６と、第６配線接触群９６との間に設けられている。換言すれば、接触部１８０ｂ−２２は、接触部１８０ｂ−１０及び接触部１８０ｂ−１６よりも、第４配線接触群９４側に位置し、接触部１８０ｂ−７は、接触部１８０ｂ−１０及び接触部１８０ｂ−１６よりも、第６配線接触群９６側に位置する。これにより、駆動信号ＣＯＭＡ，ＣＯＭＢが第４診断信号ＤＩＧ４、第５診断信号ＤＩＧ５に干渉することを低減するこ
とができる。よって、第４診断信号ＤＩＧ４、第５診断信号ＤＩＧ５は、プリントヘッド２１に精度よく供給される。したがって、プリントヘッド２１の自己診断機能が正常に動作しないおそれを低減することができる。ここで、グラウンド信号ＧＮＤが伝搬される配線とプリントヘッド２１とが電気的に接触する接触部１８０ｂ−２２が第８接触部の一例であり、接触部１８０ｂ−７が第９接触部の一例である。
【０２０２】
また、第２ケーブル１９ｂにおいて、配線１９７ｂ−１１，１９７ｂ−１４，１９７ｂ−１５は、配線１９７ｂ−１０と配線１９７ｂ−１６との間に設けられている。すなわち、第４診断信号ＤＩＧ４及び第５診断信号ＤＩＧ５のそれぞれが伝搬される配線１９７ｂ−１０，１９７ｂ−１６は、互いに隣り合わないように位置し、さらには、配線１９７ｂ−１０，１９７ｂ−１６の間には、グラウンド信号ＧＮＤが伝搬される配線が設けられる。これにより、第４診断信号ＤＩＧ４及び第５診断信号ＤＩＧ５が、互い干渉することが低減される。よって、第４診断信号ＤＩＧ４及び第５診断信号ＤＩＧ５は、プリントヘッド２１に精度よく供給される。したがって、プリントヘッド２１の自己診断機能が正常に動作しないおそれを低減することが可能となる。ここで、配線１９７ｂ―１１，１９７ｂ―１４，１９７ｂ―１５の少なくともいずれかが、第７グラウンド信号伝搬配線の一例である。
【０２０３】
また、同様に第２ケーブル１９ｂにおいて、接触部１８０ｂ−１１，１８０ｂ−１４，１８０ｂ−１５は、接触部１８０ｂ−１０と接触部１８０ｂ−１６との間に設けられている。すなわち、第４診断信号ＤＩＧ４及び第５診断信号ＤＩＧ５のそれぞれがプリントヘッド２１に供給される接触部１８０ｂ−１０，１８０ｂ−１６は、互いに隣り合わないように位置し、さらには、接触部１８０ｂ−１０，１８０ｂ−１６の間には、グラウンド信号ＧＮＤがプリントヘッド２１に供給される接触部が設けられる。これにより、第４診断信号ＤＩＧ４及び第５診断信号ＤＩＧ５が、互い干渉することが低減される。よって、第４診断信号ＤＩＧ４及び第５診断信号ＤＩＧ５は、プリントヘッド２１に精度よく供給される。したがって、プリントヘッド２１の自己診断機能が正常に動作しないおそれを低減することが可能となる。ここで、接触部１８０ｂ―１１，１８０ｂ―１４，１８０ｂ―１５の少なくともいずれかが、第１２接触部の一例である。
【０２０４】
以上に説明したように、第５配線群８５は、少なくともプリントヘッド２１の自己診断を行うための第４診断信号ＤＩＧ４を伝搬する配線１９７ｂ−１０と、第５診断信号ＤＩＧ５を伝搬する配線１９７ｂ−１６とを含む。このような第５配線群８５は、第２ケーブル１９ｂにおいて、互いに隣り合う配線で構成されている。すなわち、第５配線群８５とは、少なくともプリントヘッド２１の自己診断を行うための、低電圧の信号である第４診断信号ＤＩＧ４及び第５診断信号ＤＩＧ５を伝搬する配線を含む複数の配線の集まりである。そして、第５配線群８５に含まれる複数の配線は、第２ケーブル１９ｂにおいて、互いに隣り合って設けられる。なお、第５配線群８５には、印刷データ信号ＳＩ４〜ＳＩ６、異常信号ＸＨＯＴ及びグラウンド信号ＧＮＤ等を伝搬する複数の配線が含まれていてもよい。
【０２０５】
また、同様に、第５配線接触群９５は、少なくともプリントヘッド２１の自己診断を行うための第４診断信号ＤＩＧ４を伝搬する配線１９７ｂ−１０とプリントヘッド２１とが電気的に接触する接触部１８０ｂ−１０と、第５診断信号ＤＩＧ５を伝搬する配線１９７ｂ−１６とプリントヘッド２１とが電気的に接触する接触部１８０ｂ−１６、を含む。このような第５配線接触群９５は、互いに隣り合う接触部で構成されている。すなわち、第５配線接触群９５とは、プリントヘッド２１の自己診断を行うための低電圧の信号である第４診断信号ＤＩＧ４及び第５診断信号ＤＩＧ５をプリントヘッド２１に供給するための複数の接触部の集まりである。そして、当該複数の接触部は、互いに隣り合って設けられる。なお、第５配線接触群９５には、印刷データ信号ＳＩ４〜ＳＩ６、異常信号ＸＨＯＴ
及びグラウンド信号ＧＮＤ等のプリントヘッド２１を制御するための低電圧の信号が伝搬される複数の配線やグラウンド信号ＧＮＤをプリントヘッド２１に供給するための接触群が含まれていてもよい。
【０２０６】
以上のように構成された第５配線群８５を含む第２ケーブル１９ｂが第５配線接触群９５を介して、第２コネクター３６０に取付けられた場合、第２ケーブル１９ｂの端子１９６ｂ−７〜１９６ｂ−２３のそれぞれが、接触部１８０ｂ−７〜１８０ｂ−２３を介して第２コネクター３６０の端子３６３−７〜３６３−２３のそれぞれと電気的に接続される。これにより、配線１９７ｂ−７〜１９７ｂ−２３で伝搬される第４診断信号ＤＩＧ４及び第５診断信号ＤＩＧ５を含む複数の信号が、プリントヘッド２１に供給される。すなわち、プリントヘッド２１において、第４診断信号ＤＩＧ４が供給される端子３６３−１０が第４接続点の一例であり、第５診断信号ＤＩＧ５が供給される端子３６３−１６が第５接続点の一例である。また、第２ケーブル１９ｂとプリントヘッド２１とを電気的に接続する第４配線接触群９４、及び第５配線接触群９５を含む接触群９８が第２接触群の一例である。
【０２０７】
また、第２ケーブル１９ｂにおいて、第５配線群８５は、第４配線群８４と第６配線群８６との間に設けられている。これにより、第２ケーブル１９ｂの外部で生じたノイズは、第４配線群８４及び第６配線群８６でシールドされ、当該ノイズが第５配線群８５に重畳する可能性が低減される。同様に、接触群９８において、第５配線接触群９５は、第４配線接触群９４と第６配線接触群９６との間に設けられている。これにより、接触群９８の近傍で生じたノイズは、第４配線接触群９４及び第６配線接触群９６でシールドされ、当該ノイズが第５配線接触群９５に重畳する可能性が低減される。したがって、第５配線群８５で伝搬され、第５配線接触群９５を介してプリントヘッド２１に供給される第４診断信号ＤＩＧ４、第５診断信号ＤＩＧ５は、プリントヘッド２１に精度よく供給される。したがって、プリントヘッド２１の自己診断機能が正常に動作しないおそれを低減することができる。
【０２０８】
さらに、本実施形態では、プリントヘッド制御回路１５から出力される第１診断信号ＤＩＧ１、第２診断信号ＤＩＧ２及び第３診断信号ＤＩＧ３は、第１ケーブル１９ａで伝搬され接触群９７を介してプリントヘッド２１に供給され、第４診断信号ＤＩＧ４及び第５診断信号ＤＩＧ５は第２ケーブル１９ｂで伝搬され接触群９８を介してプリントヘッド２１に供給される。すなわち、プリントヘッド２１の自己診断を行うための複数の診断信号のうち、一部は第１ケーブル１９ａで伝搬され、異なる一部は第２ケーブル１９ｂで伝搬される。そのため、第１ケーブル１９ａ又は第２ケーブル１９ｂに接続不良が生じた場合、若しくは、接触群９７又は接触群９８に接触不良が生じた場合であっても、当該接続不良を検出することが可能となる。
【０２０９】
８．作用・効果
以上に説明したように、本実施形態における液体吐出装置１に設けられるプリントヘッド制御回路１５では、第１ケーブル１９ａにおいて、プリントヘッド２１の自己診断を制御するための第１診断信号ＤＩＧ１、第２診断信号ＤＩＧ２及び第３診断信号ＤＩＧ３が伝搬される配線は、第２配線群８２として集まって設けられている。すなわち、第１診断信号ＤＩＧ１、第２診断信号ＤＩＧ２及び第３診断信号ＤＩＧ３が伝搬される配線は、第１ケーブル１９ａにおいて、分散して設けられていない。また、本実施形態における液体吐出装置１では、第１ケーブル１９ａで伝搬されるプリントヘッド２１の自己診断を制御するための第１診断信号ＤＩＧ１、第２診断信号ＤＩＧ２及び第３診断信号ＤＩＧ３は、第２配線接触群９２として集まって設けられている。すなわち、第１診断信号ＤＩＧ１、第２診断信号ＤＩＧ２及び第３診断信号ＤＩＧ３がプリントヘッド２１に供給される接触部は、接触群９７において、分散して設けられていない。よって、第１診断信号ＤＩＧ１
、第２診断信号ＤＩＧ２及び第３診断信号ＤＩＧ３にノイズが重畳する可能性が低減される。
【０２１０】
また、第２ケーブル１９ｂにおいて、プリントヘッド２１の自己診断を制御するための第４診断信号ＤＩＧ４、第５診断信号ＤＩＧ５が伝搬される配線は、第５配線群８５として集まって設けられている。すなわち、第４診断信号ＤＩＧ４、第５診断信号ＤＩＧ５が伝搬される配線は、第２ケーブル１９ｂにおいて、分散して設けられていない。同様に、第２ケーブル１９ｂで伝搬されるプリントヘッド２１の自己診断を制御するための第４診断信号ＤＩＧ４、第５診断信号ＤＩＧ５は、第５配線接触群９５として集まって設けられている。すなわち、第４診断信号ＤＩＧ４、第５診断信号ＤＩＧ５がプリントヘッド２１に供給される接触部は、接触群９８において、分散して設けられていない。よって、第４診断信号ＤＩＧ４及び第５診断信号ＤＩＧ５にノイズが重畳する可能性が低減される。
【０２１１】
以上のように、診断信号が伝搬される第１ケーブル１９ａ及び第２ケーブル１９ｂのそれぞれに、ノイズが重畳するおそれがある場合であっても、当該ノイズの対策が可能となり、よって、プリントヘッド制御回路１５は、プリントヘッド２１に対して、第１診断信号ＤＩＧ１、第２診断信号ＤＩＧ２、第３診断信号ＤＩＧ３、第４診断信号ＤＩＧ４及び第５診断信号ＤＩＧ５を精度よく伝搬することが可能となる。したがって、プリントヘッド２１の自己診断機能が正常に動作しないおそれを低減することができる。
【０２１２】
また、本実施形態における液体吐出装置１に設けられるプリントヘッド制御回路１５では、第１診断信号ＤＩＧ１、第２診断信号ＤＩＧ２及び第３診断信号ＤＩＧ３が伝搬される配線を含む第２配線群８２は、駆動信号ＣＯＭＡ，ＣＯＭＢが伝搬される複数の配線を含む第１配線群８１と第３配線群８３との間に設けられる。また、同様に液体吐出装置１において、第１診断信号ＤＩＧ１、第２診断信号ＤＩＧ２及び第３診断信号ＤＩＧ３が伝搬される配線を含む第２配線群８２とプリントヘッド２１とが電気的に接触する第２配線接触群９２は、駆動信号ＣＯＭＡ，ＣＯＭＢが伝搬される複数の配線を含む第１配線群８１がプリントヘッド２１と電気的に接触する第１配線接触群９１と、駆動信号ＣＯＭＡ，ＣＯＭＢが伝搬される複数の配線を含む第３配線群８３がプリントヘッド２１と電気的に接触する第３配線接触群９３との間に設けられる。これにより、第２配線群８２に対して、外乱ノイズが重畳する可能性を低減することができる。
【０２１３】
また、第４診断信号ＤＩＧ４及び第５診断信号ＤＩＧ５が伝搬される配線を含む第５配線群８５は、複数の駆動信号ＣＯＭが伝搬される複数の配線を含む第４配線群８４と第６配線群８６との間に設けられる。同様に、第４診断信号ＤＩＧ４及び第５診断信号ＤＩＧ５が伝搬される配線を含む第５配線群８５がプリントヘッド２１と電気的に接触する第５配線接触群９５は、複数の駆動信号ＣＯＭが伝搬される複数の配線を含む第４配線群８４がプリントヘッド２１と電気的に接触する第４配線接触群９４と、複数の駆動信号ＣＯＭが伝搬される複数の配線を含む第６配線群８６がプリントヘッド２１と電気的に接触する第６配線接触群９６との間に設けられる。これにより、第５配線群８５に対して、外乱ノイズが重畳する可能性を低減することができる。
【０２１４】
以上のように、第１診断信号ＤＩＧ１、第２診断信号ＤＩＧ２及び第３診断信号ＤＩＧ３を伝搬する第２配線群８２及び第４診断信号ＤＩＧ４及び第５診断信号ＤＩＧ５を伝搬する第５配線群８５に外乱ノイズが重畳する可能性を低減することが可能となり、第１診断信号ＤＩＧ１、第２診断信号ＤＩＧ２及び第３診断信号ＤＩＧ３をプリントヘッド２１に供給する第２配線接触群９２及び第４診断信号ＤＩＧ４及び第５診断信号ＤＩＧ５をプリントヘッド２１に供給する第５配線接触群９５に外乱ノイズが重畳する可能性を低減することが可能となることから、第１診断信号ＤＩＧ１、第２診断信号ＤＩＧ２、第３診断信号ＤＩＧ３、第４診断信号ＤＩＧ４及び第５診断信号ＤＩＧ５を精度よくプリントヘッ
ド２１に伝搬することが可能となる。したがって、プリントヘッド２１の自己診断機能が正常に動作しないおそれを低減することができる。
【符号の説明】
【０２１５】
１…液体吐出装置、２…液体容器、１０…制御機構、１１…メイン基板、１２ａ…第３コネクター、１２ｂ…第４コネクター、１５…プリントヘッド制御回路、１９…ケーブル、１９ａ…第１ケーブル、１９ｂ…第２ケーブル、２０…キャリッジ、２１…プリントヘッド、３０…移動機構、３１…キャリッジモーター、３２…無端ベルト、４０…搬送機構、４１…搬送モーター、４２…搬送ローラー、５０…駆動信号出力回路、５０ａ，５０ｂ…駆動回路、６０…圧電素子、８１…第１配線群、８２…第２配線群、８３…第３配線群、８４…第４配線群、８５…第５配線群、８６…第６配線群、９０…リニアエンコーダー、９１…第１配線接触群、９２…第２配線接触群、９３…第３配線接触群、９４…第４配線接触群、９５…第５配線接触群、９６…第６配線接触群、９７，９８…接触群、１００…制御回路、１１０…電源回路、１８０…接触部、１９１，１９２…短辺、１９３，１９４…長辺、１９５，１９６…端子、１９７…配線、１９８…絶縁体、２００…駆動信号選択回路、２１０…温度検出回路、２２０…選択制御回路、２２２…シフトレジスター、２２４…ラッチ回路、２２６…デコーダー、２３０…選択回路、２３２ａ，２３２ｂ…インバーター、２３４ａ，２３４ｂ…トランスファーゲート、２５０…温度異常検出回路、２５１…コンパレーター、２５２…基準電圧出力回路、２５３…トランジスター、２５４…ダイオード、２５５，２５６…抵抗、３１０…ヘッド、３１１…インク吐出面、３２０…ヘッド基板、３２１，３２２…面、３２３，３２４，３２５，３２６…辺、３３１，３３２，３３３，３３４，３３５，３３６…接続端子群、３３７，３３８，３３９…ＦＰＣ挿通孔、３４０，３４１，３４２，３４３，３４４，３４５…インク供給路挿通孔、３５０…第１コネクター、３５１…ハウジング、３５２…ケーブル取付部、３５３…端子、３５３ａ…基板取付部、３５３ｂ…ハウジング挿通部、３５３ｃ…ケーブル保持部、３６０…第２コネクター、３６１…ハウジング、３６２…ケーブル取付部、３６３…端子、６００…吐出部、６０１…圧電体、６１１，６１２…電極、６２１…振動板、６３１…キャビティー、６３２…ノズルプレート、６４１…リザーバー、６５１…ノズル、６６１…インク供給口、Ｌ１，Ｌ２，Ｌ３，Ｌ４，Ｌ５，Ｌ６…ノズル列、Ｐ…媒体
【図１】
2020049931.tif 000003
【図２】
2020049931.tif 000004
【図３】
2020049931.tif 000005
【図４】
2020049931.tif 000006
【図５】
2020049931.tif 000007
【図６】
2020049931.tif 000008
【図７】
2020049931.tif 000009
【図８】
2020049931.tif 000010
【図９】
2020049931.tif 000011
【図１０】
2020049931.tif 000012
【図１１】
2020049931.tif 000013
【図１２】
2020049931.tif 000014
【図１３】
2020049931.tif 000015
【図１４】
2020049931.tif 000016
【図１５】
2020049931.tif 000017
【図１６】
2020049931.tif 000018
【図１７】
2020049931.tif 000019
【図１８】
2020049931.tif 000020
【図１９】
2020049931.tif 000021